(57)【要約】【課題】複数種のインクでの吐出の均一性に優れ、カラーフィルターの製造に安定的に好適に用いることができる、インクジェット方式のカラーフィルター用インクセットを提供すること、各部位での色むら、濃度むらが抑制され、個体間での特性の均一性に優れたカラーフィルターを提供すること。【解決手段】本発明のインクセットは、着色剤と、該着色剤が分散、溶解する液性媒体とを含むインクを複数種備え、インクジェット方式によるカラーフィルターの製造に用いられるものであり、カラーフィルター用インクセットを構成する複数種のインクのうち２３℃での比重が最大であるものの２３℃での比重（Ｇｍａｘ［ｇ／ｃｍ３］）と、カラーフィルター用インクセットを構成する複数のインクのうち２３℃での比重が最小であるものの２３℃での比重（Ｇｍｉｎ［ｇ／ｃｍ３］）との比（Ｇｍａｘ／Ｇｍｉｎ）が１．０５以下であることを特徴とする。【選択図】なし【特許請求の範囲】
【請求項１】
着色剤と、当該着色剤が分散および／または溶解する液性媒体とを含むインクを複数種備え、インクジェット方式によるカラーフィルターの製造に用いられるカラーフィルター用インクセットであって、
カラーフィルター用インクセットを構成する複数種の前記インクのうち２３℃での比重が最大であるものの２３℃での比重（Ｇｍａｘ［ｇ／ｃｍ３］）と、カラーフィルター用インクセットを構成する複数の前記インクのうち２３℃での比重が最小であるものの２３℃での比重（Ｇｍｉｎ［ｇ／ｃｍ３］）との比（Ｇｍａｘ／Ｇｍｉｎ）が１．０５以下であることを特徴とするカラーフィルター用インクセット。
【請求項２】
カラーフィルター用インクセットを構成する複数種の前記インクは、２５℃における比重が、いずれも、０．９０〜１．２０ｇ／ｃｍ３である請求項１に記載のカラーフィルター用インクセット。
【請求項３】
カラーフィルター用インクセットを構成する複数種の前記インクは、２５℃における粘度が、いずれも、４．０〜１５ｍＰａ・ｓである請求項１または２に記載のカラーフィルター用インクセット。
【請求項４】
カラーフィルター用インクセットを構成する複数種の前記インクの２５℃での表面張力は、いずれも、２４〜３８ｄｙｎ／ｃｍである請求項１ないし３のいずれかに記載のカラーフィルター用インクセット。
【請求項５】
カラーフィルター用インクセットを構成する複数種の前記インクは、いずれも、前記液性媒体の含有率が５０〜９５ｗｔ％である請求項１ないし４のいずれかに記載のカラーフィルター用インクセット。
【請求項６】
カラーフィルター用インクセットを構成する複数種の前記インクのうち、少なくとも１種の前記インクの前記液性媒体は、２種以上の液体を含むものであり、前記液性媒体に含まれる複数の前記液体のうち２５℃での表面張力が最大であるものの２５℃での表面張力（γＬｍａｘ［ｄｙｎ／ｃｍ］）と、前記液性媒体に含まれる複数の前記液体のうち２５℃での表面張力が最小であるものの２５℃での表面張力（γＬｍｉｎ［ｄｙｎ／ｃｍ］）との差（γＬｍａｘ−γＬｍｉｎ）が１．０〜１３．０ｄｙｎ／ｃｍである請求項１ないし５のいずれかに記載のカラーフィルター用インクセット。
【請求項７】
液性媒体は、２−（２−メトキシ−１−メチルエトキシ）−１−メチルエチルアセテート、４−メチル−１，３−ジオキソラン−２−オン、トリエチレングリコールジアセテート、ジエチレングリコールモノブチルエーテルアセテート、ビス（２−ブトキシエチル）エーテル、１，３−ブチレングリコールジアセテート、エチレングリコールジアセテート、オクタン酸エチルから選択される１種または２種以上を含むものである請求項１ないし６のいずれかに記載のカラーフィルター用インクセット。
【請求項８】
複数種の前記インクを構成する前記液性媒体の大気圧下における沸点は、いずれも、１７０〜３００℃である請求項１ないし７のいずれかに記載のカラーフィルター用インクセット。
【請求項９】
請求項１ないし８のいずれかに記載のカラーフィルター用インクセットを用いて製造されたことを特徴とするカラーフィルター。
【請求項１０】
請求項９に記載のカラーフィルターを備えたことを特徴とする画像表示装置。
【請求項１１】
画像表示装置は、液晶パネルである請求項１０に記載の画像表示装置。
【請求項１２】
請求項１０または１１に記載の画像表示装置を備えたことを特徴とする電子機器。
【発明の詳細な説明】
【技術分野】
【０００１】
本発明は、カラーフィルター用インクセット、カラーフィルター、画像表示装置、および、電子機器に関するものである。
【背景技術】
【０００２】
カラー表示を行う液晶表示装置（ＬＣＤ）等には、一般に、カラーフィルターが用いられている。カラーフィルターには、一般に、光の三原色である赤、緑、青に対応する３色の着色部が設けられており、カラーフィルターを備えた液晶表示装置では、これら各色の着色部の光の透過量を調整することにより、カラー表示を行っている。
カラーフィルターは、従来、着色剤、感光性樹脂、官能性モノマー、重合開始剤等を含む材料（着色層形成用組成物）で構成された塗膜を基板上に形成し、その後、フォトマスクを介して光を照射する感光処理、現像処理等を行う、いわゆるフォトリソグラフィー法を用いて製造されてきた。このような方法では、通常、基板のほぼ全面に、各色に対応する塗膜を形成し、その一部のみを硬化させ、それ以外の大部分を除去するという操作を繰り返すことにより、各色が重なり合わないようにカラーフィルターを製造する。このため、カラーフィルターの製造において形成される塗膜は、最終的に得られるカラーフィルターには、その一部のみが着色層として残存するのみで、その大部分が製造工程において除去されることとなる。このため、カラーフィルターの製造コストが上昇するばかりでなく、省資源の観点からも好ましくない。
【０００３】
一方、近年、インクジェットヘッド（液滴吐出ヘッド）を用いて、カラーフィルターの着色層を形成する方法が提案されている（例えば、特許文献１参照）。このような方法は、着色層形成用の材料（着色層形成用組成物）の液滴の吐出位置等の制御が容易で、着色層形成用組成物の無駄を少なくすることができるため、環境への負荷を低減することができ、また、製造コストも抑制することができる。そして、一般に、カラーフィルター用のインクセットでは、各色のインクで、同一の組成の液性媒体が用いられている。
【０００４】
ところで、カラーフィルターが有する各色の着色部には、それぞれに対応する色の顔料が含まれている。カラーフィルターにおいては、各色の着色部の濃度バランスをとり、光源に対して最適な発色条件にする必要があるが、一般に、着色剤は色相が色や顔料種の構成によって異なるため、表現しようとする色によって、インクに含まれる着色剤の含有量が異なるものとなる。また、着色剤の分散安定性が色毎に異なっているため、安定化のための添加剤をインクにさらに加える場合もある。しかしながら、このように各色のインク間で含まれる材料が異なるものであると、各色でのインクの吐出量の差が大きくなってしまう。このため、製造されたカラーフィルターは、各色で同等の着色濃度であっても、セル内の着色部の形状が異なるものとなってしまい、各セル内において色むら等が起きやすくなる。
【０００５】
また、カラーフィルターの製造に用いる液滴吐出装置（産業用）は、プリンターに適用されるもの（民生用）とは全く異なるものであり、例えば、大量生産を行ったり、大型のワーク（基板）への液滴吐出に用いたりするため、大量の液滴を高い精度を保ちつつ長時間にわたって吐出することが求められる。このような過酷な条件で用いられるため、本来、民生用のものに比べて、液滴の吐出量の変動が生じやすいが、このような吐出量、吐出のタイミングの変動が生じると、製造される多数のカラーフィルター間での特性のばらつきや、カラーフィルターの各部位での着色濃度のばらつきを生じてしまい、製品としてのカラーフィルターの信頼性を著しく低下させてしまう。
また、カラーフィルターにおいて、より広い色再現域を確保するために、近年、カラーフィルター用のインクとして、着色剤の含有率の高いものを用いる傾向があるが、着色剤の含有率の高いほど、液滴の粘度などが増加することにより液滴吐出装置に対する負荷が大きくなり、上記のような問題は、より顕著なものとなる。
【０００６】
【特許文献１】特開２００２−３７２６１３号公報
【発明の開示】
【発明が解決しようとする課題】
【０００７】
本発明の目的は、複数種のインクでの吐出の均一性に優れ、カラーフィルターの製造に安定的に好適に用いることができる、インクジェット方式のカラーフィルター用インクセットを提供すること、各部位での色むら、濃度むらが抑制され、個体間での特性の均一性に優れたカラーフィルターを提供すること、また、該カラーフィルターを備えた画像表示装置、電子機器を提供することにある。
【課題を解決するための手段】
【０００８】
このような目的は、下記の本発明により達成される。
本発明のカラーフィルター用インクセットは、着色剤と、当該着色剤が分散および／または溶解する液性媒体とを含むインクを複数種備え、インクジェット方式によるカラーフィルターの製造に用いられるカラーフィルター用インクセットであって、
カラーフィルター用インクセットを構成する複数種の前記インクのうち２３℃での比重が最大であるものの２３℃での比重（Ｇｍａｘ［ｇ／ｃｍ３］）と、カラーフィルター用インクセットを構成する複数の前記インクのうち２３℃での比重が最小であるものの２３℃での比重（Ｇｍｉｎ［ｇ／ｃｍ３］）との比（Ｇｍａｘ／Ｇｍｉｎ）が１．０５以下であることを特徴とする。
これにより、複数種のインクでの吐出の均一性に優れ、カラーフィルターの製造に安定的に好適に用いることができる、インクジェット方式のカラーフィルター用インクセットを提供することができる。
【０００９】
本発明のカラーフィルター用インクセットでは、カラーフィルター用インクセットを構成する複数種の前記インクは、２５℃における比重が、いずれも、０．９０〜１．２０ｇ／ｃｍ３であることが好ましい。
これにより、各インク毎のイナータンスを特に均一にすることが可能となり、液滴の吐出のタイミング、吐出量を特に均一にすることができる。これにより、液滴の吐出性を特に安定したものとすることができ、製造されるカラーフィルターの個体間での特性差を特に少ないものとすることができる。
【００１０】
本発明のカラーフィルター用インクセットでは、カラーフィルター用インクセットを構成する複数種の前記インクは、２５℃における粘度が、いずれも、４．０〜１５ｍＰａ・ｓであることが好ましい。
これにより、吐出されるカラーフィルター用インクの液滴量、液滴の吐出のタイミングのばらつきを特に小さいものとしつつ、液滴吐出ヘッドにおける目詰まりの発生等をより確実に防止することができる。
【００１１】
本発明のカラーフィルター用インクセットでは、カラーフィルター用インクセットを構成する複数種の前記インクの２５℃での表面張力は、いずれも、２４〜３８ｄｙｎ／ｃｍであることが好ましい。
これにより、液滴の吐出性を特に安定したものとすることができ、製造されるカラーフィルターの個体間での特性差を特に少ないものとすることができる。
【００１２】
本発明のカラーフィルター用インクセットでは、カラーフィルター用インクセットを構成する複数種の前記インクは、いずれも、前記液性媒体の含有率が５０〜９５ｗｔ％であることが好ましい。
これにより、各色のインク中の液性媒体の含有率が上記範囲内であると、各インクのイナータンス、粘度等を特に均一にすることができ、各インクの液滴吐出ヘッドからの吐出性を特に優れたものとすることができる。
【００１３】
本発明のカラーフィルター用インクセットでは、カラーフィルター用インクセットを構成する複数種の前記インクのうち、少なくとも１種の前記インクの前記液性媒体は、２種以上の液体を含むものであり、前記液性媒体に含まれる複数の前記液体のうち２５℃での表面張力が最大であるものの２５℃での表面張力（γＬｍａｘ［ｄｙｎ／ｃｍ］）と、前記液性媒体に含まれる複数の前記液体のうち２５℃での表面張力が最小であるものの２５℃での表面張力（γＬｍｉｎ［ｄｙｎ／ｃｍ］）との差（γＬｍａｘ−γＬｍｉｎ）が１．０〜１３．０ｄｙｎ／ｃｍであることが好ましい。
これにより、液滴吐出ヘッド等の液滴吐出装置内で気泡等が発生することを確実に防止しつつ、各インクのイナータンスをより均一なものとすることができ、インクの液滴の吐出性（吐出量、吐出のタイミング等）を特に均一なものとすることができる。
【００１４】
本発明のカラーフィルター用インクセットでは、液性媒体は、２−（２−メトキシ−１−メチルエトキシ）−１−メチルエチルアセテート、４−メチル−１，３−ジオキソラン−２−オン、トリエチレングリコールジアセテート、ジエチレングリコールモノブチルエーテルアセテート、ビス（２−ブトキシエチル）エーテル、１，３−ブチレングリコールジアセテート、エチレングリコールジアセテート、オクタン酸エチルから選択される１種または２種以上を含むものであることが好ましい。
これにより、インクの吐出を特に長期にわたって安定させることができる。
【００１５】
本発明のカラーフィルター用インクセットでは、複数種の前記インクを構成する前記液性媒体の大気圧下における沸点は、いずれも、１７０〜３００℃であることが好ましい。
これにより、カラーフィルターの製造時において、液性媒体が揮発し、インクの比重や粘度が変化することを好適に防止することができ、液滴吐出ヘッドの目詰まりが発生するのを確実に防止しつつ、生産性良く着色部を形成することができる。
【００１６】
本発明のカラーフィルターは、本発明のカラーフィルター用インクセットを用いて製造されたことを特徴とする。
これにより、各部位での色むら、濃度むらが抑制され、個体間での特性の均一性に優れたカラーフィルターを提供することができる。
本発明の画像表示装置は、本発明のカラーフィルターを備えたことを特徴とする。
これにより、表示部の各部位での色むら、濃度むらが抑制され、個体間での特性の均一性に優れた画像表示装置を提供することができる。
本発明の画像表示装置は、液晶パネルであることが好ましい。
これにより、表示部の各部位で色むら、濃度むらが抑制され、個体間での特性の均一性に優れた画像表示装置を提供することができる。
本発明の電子機器は、本発明の画像表示装置を備えたことを特徴とする。
これにより、表示部の各部位での色むら、濃度むらが抑制され、個体間での特性の均一性に優れた電子機器を提供することができる。
【発明を実施するための最良の形態】
【００１７】
以下、本発明の好適な実施形態について詳細に説明する。
《インクセット》
本発明のカラーフィルター用インクセットは、カラーフィルターの製造（カラーフィルターの着色部の形成）に用いられるインクセットであり、特に、インクジェット方式によるカラーフィルターの製造に用いられるものである。
また、本発明のカラーフィルター用インクセットは、複数種のインク（カラーフィルター用インク）を備えるものである。
【００１８】
本発明のカラーフィルター用インクセットは、光の三原色を構成する３色である緑色のインク（グリーンインク）と、赤色のインク（レッドインク）と、青色のインク（ブルーインク）とを備えるものであるのが好ましい。以下の説明では、代表的に、カラーフィルター用インクセットが、「グリーンインク（Ｇインク）」、「レッドインク（Ｒインク）」、「ブルーインク（Ｂインク）」の３種のインクを備えるものとして説明する。
【００１９】
［インク（カラーフィルター用インク）］
カラーフィルター用インクセットを構成する各インク（カラーフィルター用インク）は、着色剤、当該着色剤が分散および／または溶解する液性媒体、樹脂材料等を含むものである。
ところで、カラーフィルターにおいては、各色の濃度バランスをとり、光源にたいして最適な発色条件にする必要があるが、一般に、着色剤は、色相が色や顔料種の構成によって異なるため、表現しようとする色によって、インクに含まれる着色剤の含有量が異なるものとなる。また、着色剤の安定性の色毎に異なっているため、安定化のための添加剤をインクにさらに加える場合もある。このような理由でカラーフィルターを形成するインクの表面張力は色によって異なっている。しかしながら、各インク中の着色剤含有率を、それぞれ異なるものとした場合、色によってインクの比重が異なってしまう。インクの比重は、吐出時におけるインクの吐出のタイミングに大きく影響している。すなわち、液滴吐出時において、後述する液滴吐出装置の吐出部において、インクに一定の圧力が加えられた際に、吐出するインクの加速に抗う抵抗成分（イナータンス）は、インクの重さ、つまり比重に大きく依存する。このため、比重が異なる３色のインクに対して、同様の圧力を同様のタイミングで加えても、吐出のタイミングがずれてしまう。また、一定の圧力が加えられた際に吐出するインクの加速に抗う抵抗成分（イナータンス）が異なることで、同様の圧力が加わった場合でも、各色でのインクの吐出量が異なる。単純には、比重が１０％程度異なっているインクを想定した場合、このインク液滴を同じ速度に加速するためには加速するために与えるエネルギーが１０％余分に必要になると同時に、加速するタイミングも微妙に影響を受けてずれてしまう。また、カラーフィルターの製造に用いる液滴吐出装置（産業用）は、プリンターに適用されるもの（民生用）とは全く異なるものであり、例えば、大量生産を行ったり、大型のワーク（基板）への液滴吐出に用いたりするため、大量の液滴を長時間にわたって安定して吐出することが求められる。このような過酷な条件で用いられるため、本来、民生用のものに比べて、液滴の吐出量の変動が生じやすいが、このような吐出量の変動が生じると、製造される多数のカラーフィルター間での特性のばらつきや、カラーフィルターの各部位での着色濃度のばらつきを生じてしまい、製品としてのカラーフィルターの信頼性を著しく低下させてしまう。
【００２０】
また、このようにインク毎に比重が異なることで、従来のカラーフィルター用インクセットを用いた場合、液滴を吐出する際のピエゾ素子の駆動波形（圧力の大きさ、タイミング等）を色毎に微妙に調整する必要がある。このため、カラーフィルターを製造する液滴吐出装置の機能を複雑なものとする必要があり、製造における操作が煩雑なものとなってしまう。
【００２１】
そこで、本発明者らは、上記のような問題を見出し、問題を解決すべく鋭意検討した結果、本発明に至った。すなわち、本発明では、カラーフィルター用インクセットを構成する各インクのうち２３℃での比重が最大であるものの２３℃での比重（Ｇｍａｘ［ｇ／ｃｍ３］）と、カラーフィルター用インクセットを構成する各インクのうち２３℃での比重が最小であるものの２３℃での比重（Ｇｍｉｎ［ｇ／ｃｍ３］）との比（Ｇｍａｘ／Ｇｍｉｎ）が１．０５以下となるようにした。
【００２２】
このような条件を満足することにより、カラーフィルター用インクセットを、複数種のインクでの吐出の均一性に優れ、カラーフィルターの製造に安定的に好適に用いることができる。すなわち、インクの吐出量、吐出のタイミングを均一にでき、カラーフィルターの色むら、濃度むらの発生やカラーフィルター個体間での特性のばらつきを好適に防止することができる。また、各色のインク毎に液滴吐出時のピエゾ素子の駆動波形（圧力の大きさ、タイミング）を調整する必要がないため、液滴吐出装置の機能をより簡素なものとすることができる。また、カラーフィルター製造時における操作を簡易化することができる。
【００２３】
これに対し、Ｇｍａｘ−Ｇｍｉｎが大きいと、上記のような効果は得られない。すなわち、各色のインク毎にイナータンスが異なることで、各色でのインクの吐出のタイミング、吐出量の差が大きくなってしまう。その結果、カラーフィルターにおいて、各色の着色部の着色濃度を、他の色の着色部の着色濃度と同等にするのが困難となる。また、カラーフィルターの各部位での着色部の着色濃度にばらつきを生じやすくなり、各部位での色むら、濃度むらが顕著になり、カラーフィルターの個体間での特性のばらつきが大きくなる。
【００２４】
上記のように、本発明においては、カラーフィルター用インクセットを構成する各インクのうち２３℃での比重が最大であるものの２３℃での比重（Ｇｍａｘ［ｇ／ｃｍ３］）と、カラーフィルター用インクセットを構成する各インクのうち２３℃での比重が最小であるものの２３℃での比重（Ｇｍｉｎ［ｇ／ｃｍ３］）との比（Ｇｍａｘ／Ｇｍｉｎ）は、１．０５以下であればよいが、１．０４以下であるのが好ましく、１．０３以下であるのがより好ましい。これにより、上述したような効果はさらに顕著なものとなる。なお、本発明において、インクの密度は、ＪＩＳ  Ｋ  ５６００に準拠して測定することができる。
【００２５】
カラーフィルター用インクセットを構成する複数種のインクは、２３℃における比重が、いずれも、０．９０〜１．２０ｇ／ｃｍ３であるのが好ましく、０．９５〜１．１５ｇ／ｃｍ３であるのがより好ましい。これにより、各インク毎のイナータンスを特に均一にすることが可能となり、液滴の吐出のタイミング、吐出量を特に均一にすることができる。これにより、液滴の吐出性を特に安定したものとすることができ、製造されるカラーフィルターの個体間での特性差を特に少ないものとすることができる。
【００２６】
カラーフィルター用インクセットを構成する複数種の前記インクの２５℃での表面張力は、いずれも、２４〜３８ｄｙｎ／ｃｍであるのが好ましく、２４〜３５ｄｙｎ／ｃｍであるのがより好ましく、２４〜３２ｄｙｎ／ｃｍであるのがさらに好ましい。これにより、液滴の吐出性を特に安定したものとすることができ、製造されるカラーフィルターの個体間での特性差を特に少ないものとすることができる。なお、本発明において、表面張力は、ＪＩＳ  Ｋ  ３３６２に準拠して測定される値を採用することができる。
【００２７】
また、カラーフィルター用インクセットを構成する各カラーフィルター用インクの２５℃における粘度は、いずれも、４．０〜１５．０ｍＰａ・ｓであるのが好ましく、４．０〜１０．０ｍＰａ・ｓであるのがより好ましい。これにより、後述するようなインクジェット方式による液滴吐出において、吐出されるカラーフィルター用インクの液滴量、液滴の吐出のタイミングのばらつきを特に小さいものとしつつ、液滴吐出ヘッドにおける目詰まりの発生等をより確実に防止することができる。なお、本発明において、粘度の値としては、振動式粘度計を用いて２５℃で測定して求められる値を採用することができ、特に、ＪＩＳ  Ｚ８８０９に準拠して２５℃で測定して求められる値を採用することができる。
【００２８】
また、カラーフィルター用インクセットを構成する各カラーフィルター用インクの２５℃における、カラーフィルター用の基板（ワーク）表面に対する接触角は、３〜１５゜であることが好ましく、３〜１０゜であることがより好ましい。これにより、吐出されて基板に着弾したカラーフィルター用インクが、好適に濡れ広がることができ、製造されるカラーフィルターは、セル内での着色濃度のむらの特に少ないものとなる。なお、カラーフィルター用インクのカラーフィルター用の基板表面に対する接触角は、ＪＩＳ  Ｒ  ３２５７に準拠して測定される値を採用することができる。
【００２９】
＜着色剤＞
カラーフィルターは、異なる複数色の着色部（一般に、ＲＧＢに対応する３色の着色）を有している。そして、カラーフィルター用インクセットを構成する各インク（カラーフィルター用インク）は、それぞれ、形成すべき着色部の色調に応じた着色剤を含むものである。カラーフィルター用インクを構成する着色剤としては、例えば、各種顔料、各種染料を用いることができる。
【００３０】
（グリーンインク）
グリーンインクは、通常、緑色の着色剤を含むものである。
グリーンインクに中に含まれる着色剤としては、特に限定されず、例えば、Ｃ．Ｉ．ピグメントグリーン７，３６，１５，１７，１８，１９，２６，５０等の顔料や、Ｃ．Ｉ．アシッドグリーン１６等の染料が挙げられ、これらから選択される１種または２種以上を組み合わせて用いることができる。
【００３１】
グリーンインクを構成する着色剤としては、上記のようなものが挙げられるが、中でも、Ｃ．Ｉ．ピグメントグリーン３６を主とするものであるのが好ましい。カラーフィルター用インクセットが、Ｃ．Ｉ．ピグメントグリーン３６を含むグリーンインクを備えるものであると、カラーフィルターの色再現域を特に広いものとすることができる。
また、グリーンインクが、Ｃ．Ｉ．ピグメントグリーン３６を含むものである場合、グリーンインク中におけるＣ．Ｉ．ピグメントグリーン３６の含有率は、６．０〜１２ｗｔ％であるのが好ましく、７．０〜１０ｗｔ％であるのがより好ましい。着色剤の含有率が前記範囲内の値であると、カラーフィルター製造用の液滴吐出ヘッド（インクジェットヘッド）からの、グリーンインクの吐出性を優れたものとしつつ、製造されるカラーフィルターにおいて、十分な色濃度、透過率を確保することができる。また、製造されるカラーフィルターにおいて、異なる色の着色部間における着色濃度の均一性を特に優れたものとすることができる。また、製造されるカラーフィルターの耐久性を優れたものとすることができる。また、確実にカラーフィルターの色再現域をより広いものとすることができる。
【００３２】
グリーンインク中に含まれるＣ．Ｉ．ピグメントグリーン３６の平均粒径は、２０〜２００ｎｍであるのが好ましく、３０〜１８０ｎｍであるのがより好ましい。これにより、カラーフィルター用インクを用いて製造されるカラーフィルターの耐光性を十分に優れたものとしつつ、カラーフィルターにおける発色性や消偏性（コントラスト）等を特に優れたものとすることができる。また、カラーフィルター用インク中におけるＣ．Ｉ．ピグメントグリーン３６の分散安定性を特に優れたものとすることができる。
【００３３】
（レッドインク）
レッドインクは、通常、赤色の着色剤を含むものである。
レッドインク中に含まれる着色剤としては、例えば、Ｃ．Ｉ．ピグメントレッド２，３，５，１７，２２，２３，３８，８１，４８：１，４８：２，４８：３，４８：４，４９：１，５２：１，５３：１，５７：１，６３：１，１１２，１２２，１４４，１４６，１４９，１６６，１７０，１７６，１７７，１７８，１７９，１８５，２０２，２０７，２０９，２５４，１０１，１０２，１０５，１０６，１０８，１０８：１等の顔料や、Ｃ．Ｉ．ダイレクトレッド２，４，９，２３，２６，２８，３１，３９，６２，６３，７２，７５，７６，７９，８０，８１，８３，８４，８９，９２，９５，１１１，１７３，１８４，２０７，２１１，２１２，２１４，２１８，２２１，２２３，２２４，２２５，２２６，２２７，２３２，２３３，２４０，２４１，２４２，２４３，２４７、Ｃ．Ｉ．アシッドレッド３５，４２，５１，５２，５７，６２，８０，８２，１１１，１１４，１１８，１１９，１２７，１２８，１３１，１４３，１４５，１５１，１５４，１５７，１５８，２１１，２４９，２５４，２５７，２６１，２６３，２６６，２８９，２９９，３０１，３０５，３１９，３３６，３３７，３６１，３９６，３９７、Ｃ．Ｉ．リアクティブレッド３，１３，１７，１９，２１，２２，２３，２４，２９，３５，３７，４０，４１，４３，４５，４９，５５、Ｃ．Ｉ．ベーシックレッド１２，１３，１４，１５，１８，２２，２３，２４，２５，２７，２９，３５，３６，３８，３９，４５，４６等の染料が挙げられ、これらから選択される１種または２種以上を組み合わせて用いることができる。
【００３４】
レッドインクを構成する着色剤としては、上記のようなものが挙げられるが、中でも、Ｃ．Ｉ．ピグメントレッド２５４を主とするものであるのが好ましい。カラーフィルター用インクセットが、Ｃ．Ｉ．ピグメントレッド２５４を含むレッドインクを備えるものであると、カラーフィルターの色再現域を特に広いものとすることができる。
レッドインクが、Ｃ．Ｉ．ピグメントレッド２５４を含むものである場合、レッドインク中におけるＣ．Ｉ．ピグメントレッド２５４の含有率は、３．０〜１０ｗｔ％であるのが好ましく、４．０〜８．０ｗｔ％であるのがより好ましい。Ｃ．Ｉ．ピグメントレッド２５４の含有率が前記範囲内の値であると、カラーフィルター製造用の液滴吐出ヘッド（インクジェットヘッド）からの、レッドインクの吐出性を優れたものとしつつ、製造されるカラーフィルターにおいて、十分な色濃度、透過率を確保することができる。また、製造されるカラーフィルターにおいて、異なる色の着色部間における着色濃度の均一性を特に優れたものとすることができる。また、製造されるカラーフィルターの耐久性を優れたものとすることができる。
【００３５】
レッドインク中に含まれるＣ．Ｉ．ピグメントレッド２５４の平均粒径は、２０〜２００ｎｍであるのが好ましく、３０〜１８０ｎｍであるのがより好ましい。これにより、カラーフィルター用インクを用いて製造されるカラーフィルターの耐光性を十分に優れたものとしつつ、カラーフィルターにおける発色性や消偏性（コントラスト）等を特に優れたものとすることができる。また、カラーフィルター用インク中におけるＣ．Ｉ．ピグメントレッド２５４の分散安定性を特に優れたものとすることができる。
【００３６】
（ブルーインク）
ブルーインクは、通常、青色の着色剤を含むものである。
ブルーインク中に含まれる着色剤としては、例えば、Ｃ．Ｉ．ピグメントブルー１，１５，１５：１，１５：２，１５：３，１５：４，１５：６，１７：１，１８，２７，２８，２９，３５，３６，６０，８０等の顔料や、Ｃ．Ｉ．アシッドブルー９，４５，８０，８３，９０，１８５等の染料が挙げられ、これらから選択される１種または２種以上を組み合わせて用いることができる。
【００３７】
ブルーインクを構成する着色剤としては、上記のようなものが挙げられるが、中でも、Ｃ．Ｉ．ピグメントブルー１５：６を主とするものであるのが好ましい。カラーフィルター用インクセットが、Ｃ．Ｉ．ピグメントブルー１５：６を含むブルーインクを備えるものであると、カラーフィルターの色再現域を特に広いものとすることができる。
ブルーインクが、Ｃ．Ｉ．ピグメントブルー１５：６を含むものである場合、ブルーインク中におけるＣ．Ｉ．ピグメントブルー１５：６の含有率は、３．０〜１０ｗｔ％であるのが好ましく、４．０〜８．０ｗｔ％であるのがより好ましい。Ｃ．Ｉ．ピグメントブルー１５：６の含有率が前記範囲内の値であると、カラーフィルター製造用の液滴吐出ヘッド（インクジェットヘッド）からの、ブルーインクの吐出性を優れたものとしつつ、製造されるカラーフィルターにおいて、十分な色濃度、透過率を確保することができる。また、製造されるカラーフィルターにおいて、異なる色の着色部間における着色濃度の均一性を特に優れたものとすることができる。また、製造されるカラーフィルターの耐久性を優れたものとすることができる。
【００３８】
ブルーインク中に含まれるＣ．Ｉ．ピグメントブルー１５：６の平均粒径は、２０〜２００ｎｍであるのが好ましく、３０〜１８０ｎｍであるのがより好ましい。これにより、カラーフィルター用インクを用いて製造されるカラーフィルターの耐光性を十分に優れたものとしつつ、カラーフィルターにおける発色性や消偏性（コントラスト）等を特に優れたものとすることができる。また、カラーフィルター用インク中におけるピグメントブルー１５：６の分散安定性を特に優れたものとすることができる。
【００３９】
また、各インク（カラーフィルター用インク）には、それぞれの色に対応する色以外の着色剤を含むものであってもよい。例えば、グリーンインク中には、緑色以外の着色剤が含まれていてもよいし、レッドインク中には、赤色以外の着色剤が含まれていてもよいし、ブルーインク中には、青色以外の着色剤が含まれていてもよい。これにより、例えば、カラーフィルター用インクにより形成される着色部の色調の調整（調色）を行うことができ、カラーフィルター用インクセットを用いて製造されるカラーフィルターの色再現域をより広いものとすることができる。このような着色剤としては、例えば、すでに例示した材料に加え、Ｃ．Ｉ．ピグメントイエロー１，３，１２，１３，１４，１７，３４，３５，３５：１，３７，３７：１，４２，４３，５３，５５，７３，７４，８１，８３，９３，９４，９５，９７，１０８，１０９，１１０，１２９，１３８，１３９，１５０，１５１，１５３，１５４，１５７，１６８，１８４，１８５、Ｃ．Ｉ．ピグメントバイオレット１，３，１４，１６，１９，２３，５０、Ｃ．Ｉ．ピグメントオレンジ５，１３，１６，２０，２０：１，３６，４３，１０４、Ｃ．Ｉ．ピグメントブラウン７，１１，２５，３３等の顔料や、Ｃ．Ｉ．ダイレクトバイオレット７，９，４７，４８，５１，６６，９０，９３，９４，９５，９８，１００，１０１、Ｃ．Ｉ．アシッドバイオレット５，９，１１，３４，４３，４７，４８，５１，７５，９０，１０３，１２６、Ｃ．Ｉ．リアクティブバイオレット１，３，４，５，６，７，８，９，１６，１７，２２，２３，２４，２６，２７，３３，３４、Ｃ．Ｉ．ベーシックバイオレット１，２，３，７，１０，１５，１６，２０，２１，２５，２７，２８，３５，３７，３９，４０，４８、Ｃ．Ｉ．ダイレクトイエロー８，９，１１，１２，２７，２８，２９，３３，３５，３９，４１，４４，５０，５３，５８，５９，６８，８７，９３，９５，９６，９８，１００，１０６，１０８，１０９，１１０，１３０，１４２，１４４，１６１，１６３、Ｃ．Ｉ．アシッドイエロー１７，１９，２３，２５，３９，４０，４２，４４，４９，５０，６１，６４，７６，７９，１１０，１２７，１３５，１４３，１５１，１５９，１６９，１７４，１９０，１９５，１９６，１９７，１９９，２１８，２１９，２２２，２２７、Ｃ．Ｉ．リアクティブイエロー２，３，１３，１４，１５，１７，１８，２３，２４，２５，２６，２７，２９，３５，３７，４１，４２、Ｃ．Ｉ．ベーシックイエロー１，２，４，１１，１３，１４，１５，１９，２１，２３，２４，２５，２８，２９，３２，３６，３９，４０、Ｃ．Ｉ．ベーシックオレンジ２１，２３等の染料等が挙げられる。
【００４０】
また、着色剤（顔料）は、上記のような材料で構成された粉末に、例えば、親液化処理（後述する液性媒体に対する親和性を向上させる処理）等の表面処理が施されたものであってもよい。これにより、例えば、カラーフィルター用インク中における着色剤粒子（顔料粒子）の分散性、分散安定性を特に優れたものとすることができる。着色剤に対する表面処理としては、例えば、着色剤粒子表面をポリマーで改質する処理等が挙げられる。着色剤の粒子表面を改質するポリマーとしては、例えば、特開平８−２５９８７６号公報等に記載されたポリマーや、市販の各種の顔料分散用のポリマーまたはオリゴマー等が挙げられる。
【００４１】
＜液性媒体＞
液性媒体（液状媒質）は、上述したような着色剤を、分散および／または溶解する機能を有するものである。すなわち、液性媒体は、分散媒および／または溶媒として機能するものである。そして、通常、液性媒体は、カラーフィルターを製造する過程において、その大部分が除去されるものである。
【００４２】
カラーフィルター用インクセットを構成する複数種のインクのうち、少なくとも１種のインクの液性媒体は、２種以上の液体を含むものであってもよい。これにより、容易かつ確実にインクの比重を調整することができる。このため、インクの液滴の吐出性（吐出量、吐出のタイミング等）を特に均一なものとすることができる。
また、上記のような場合、インクの液性媒体に含まれる複数の液体のうち２５℃での表面張力が最大であるものの２５℃での表面張力（γＬｍａｘ［ｄｙｎ／ｃｍ］）と、液性媒体に含まれる複数の液体のうち２５℃での表面張力が最小であるものの２５℃での表面張力（γＬｍｉｎ［ｄｙｎ／ｃｍ］）との差（γＬｍａｘ−γＬｍｉｎ）が１〜１３．０ｄｙｎ／ｃｍであることが好ましく、３〜１０．０ｄｙｎ／ｃｍであることがより好ましい。これにより、液滴吐出ヘッド等の液滴吐出装置内で気泡等が発生することを確実に防止しつつ、各インクのイナータンスをより均一なものとすることができ、インクの液滴の吐出性（吐出量、吐出のタイミング等）を特に均一なものとすることができる。
【００４３】
また、インクを構成する液性媒体の２５℃における表面張力は、特に限定されないが、いずれも、２４〜４１ｄｙｎ／ｃｍであるのが好ましく、２４〜３５ｄｙｎ／ｃｍであるのがより好ましい。これにより、各インクのイナータンスをより容易に均一にすることができ、インクの吐出性（吐出量、吐出のタイミング）を特に優れたものとすることができる。また、吐出して着弾したインクがワーク（基板）へ特に好適に濡れ広がることができる。また、後述するような基板と基板上に設けられた隔壁（バンク）との境界付近にも好適にインクが濡れ広がることができる。
【００４４】
カラーフィルター用インクセットを構成する複数種の前記インクは、いずれも、前記液性媒体の含有率が５０〜９５ｗｔ％であるのが好ましく、７５〜９２ｗｔ％であるのがより好ましく、８０〜９０ｗｔ％であるのがさらに好ましい。各色のインク中の液性媒体の含有率が上記範囲内であると、各インクのイナータンス、粘度等を特に均一にすることができ、各インクの液滴吐出ヘッドからの吐出性を特に優れたものとすることができる。
【００４５】
インクを構成する液性媒体の大気圧下における沸点は、いずれも、１７０〜３００℃であるのが好ましく、１９０〜２７０℃であることがより好ましい。これにより、カラーフィルターの製造時において、液性媒体が揮発し、インクの比重や粘度が変化することを好適に防止することができ、液滴吐出ヘッドの目詰まりが発生するのを確実に防止しつつ、生産性良く着色部を形成することができる。
【００４６】
複数種のインクを構成する液性媒体の２５℃における蒸気圧は、いずれも、０．１０ｍｍＨｇ以下であるのが好ましく、０．０７ｍｍＨｇ以下であることがより好ましい。これにより、カラーフィルターの製造時において、液性媒体が揮発することを好適に防止することができ、液滴吐出ヘッドの目詰まりが発生するのを確実に防止しつつ、生産性良く着色部を形成することができる。
【００４７】
液性媒体を構成する液体としては、例えば、エステル化合物、エーテル化合物、ヒドロキシケトン、炭酸ジエステル、環状アミド化合物等を用いることができ、中でも、（１）多価アルコール（例えば、エチレングリコール、プロピレングリコール、ブチレングリコール、グリセリン等）の縮合物としてのエーテル（多価アルコールエーテル）や、多価アルコールまたは多価アルコールエーテルのアルキルエーテル（例えば、メチルエーテル、エチルエーテル、ブチルエーテル、ヘキシルエーテル等）、エステル（例えば、ホルメート、アセテート、プロピオネート等）、（２）多価カルボン酸（例えば、こはく酸、グルタル酸等）のエステル（例えば、メチルエステル等）、（３）分子内に少なくとも１つの水酸基と少なくとも１つのカルボキシル基とを有する化合物（ヒドロキシ酸）のエーテル、エステル等、（４）多価アルコールとホスゲンとの反応で得られるような化学構造を有する炭酸ジエステルが好ましい。液性媒体を構成する液体として用いることのできる化合物としては、例えば、２−（２−メトキシ−１−メチルエトキシ）−１−メチルエチルアセテート、トリエチレングリコールジメチルエーテル、トリエチレングリコールジアセテート、ジエチレングリコールモノエチルエーテルアセテート、４−メチル−１，３−ジオキソラン−２−オン、ビス（２−ブトキシエチル）エーテル、グルタル酸ジメチル、エチレングリコールジｎ−ブチレート、１，３−ブチレングリコールジアセテート、ジエチレングリコールモノブチルエーテルアセテート、テトラエチレングリコールジメチルエーテル、１，６−ジアセトキシヘキサン、トリプロピレングリコールモノメチルエーテル、ブトキシプロパノール、ジプロピレングリコールジメチルエーテル、ジエチレングリコールジメチルエーテル、３−エトキシプロピオン酸エチル、ジエチレングリコールエチルメチルエーテル、３−メトキシブチルアセテート、ジエチレングリコールジエチルエーテル、オクタン酸エチル、エチレングリコールモノブチルエーテルアセテート、エチレングリコールモノブチルエーテル、酢酸シクロヘキシル、こはく酸ジエチル、エチレングリコールジアセテート、プロピレングリコールジアセテート、４−ヒドロキシ−４−メチル−２−ペンタノン、こはく酸ジメチル、１−ブトキシ−２−プロパノール、ジエチレングリコールモノエチルエーテル、ジエチレングリコールモノメチルエーテル、ジプロピレングリコールモノメチルエーテル、３−メトキシ−ｎ−ブチルアセテート、ジアセチン、ジプロピレングリコールｎ−プロピルエーテル、ポリエチレングリコールモノメチルエーテル、ブチルグリコレート、エチレングリコールモノヘキシルエーテル、ジプロピレングリコールｎ−ブチルエーテル、Ｎ−メチル−２−ピロリドン、トリエチレングリコールブチルメチルエーテル、ビス（２−プロポキシエチル）エーテル、ジエチレングリコールジアセテート、ジエチレングリコールブチルメチルエーテル、ジエチレングリコールブチルエチルエーテル、ジエチレングリコールブチルプロピルエーテル、ジエチレングリコールエチルプロピルエーテル、ジエチレングリコールメチルプロピルエーテル、ジエチレングリコールプロピルエーテルアセテート、トリエチレングリコールメチルエーテルアセテート、トリエチレングリコールエチルエーテルアセテート、トリエチレングリコールプロピルエーテルアセテート、トリエチレングリコールブチルエーテルアセテート、トリエチレングリコールブチルエチルエーテル、トリエチレングリコールエチルメチルエーテル、トリエチレングリコールエチルプロピルエーテル、トリエチレングリコールメチルプロピルエーテル、ジプロピレングリコールメチルエーテルアセテート、ｎ−ノニルアルコール、ジエチレングリコールモノブチルエーテル、トリエチレングリコールモノメチルエーテル、エチレングリコール２−エチルヘキシルエーテル、トリエチレングリコールモノエチルエーテル、ジエチレングリコールモノヘキシルエーテル、トリエチレングリコールモノブチルエーテル、ジエチレングリコールモノ−２−エチルヘキシルエーテル、トリプロピレングリコールｎ−ブチルエーテル等が挙げられる。
【００４８】
上述した中でも、液性媒体は、２−（２−メトキシ−１−メチルエトキシ）−１−メチルエチルアセテート、４−メチル−１，３−ジオキソラン−２−オン、トリエチレングリコールジアセテート、ジエチレングリコールモノブチルエーテルアセテート、ビス（２−ブトキシエチル）エーテル、１，３−ブチレングリコールジアセテート、エチレングリコールジアセテート、オクタン酸エチルから選択される１種または２種以上を含むことが好ましい。これにより、インクの吐出を特に長期にわたって安定させることができる。また、これらの化合物を用いた場合、液滴吐出装置の部材の膨潤等の劣化を、過酷な条件下であっても、極めて長期間にわたって、確実に防ぐことができる。
【００４９】
また、特に、液性媒体が２種以上の液体を含むものである場合、液性媒体を構成する液体として、例えば、４−メチル−１，３−ジオキソラン−２−オンと、オクタン酸エチルまたはビス（２−ブトキシエチル）エーテルとを組み合わせて用いる場合、また、例えば、ビス（２−ブトキシエチル）エーテルと、１，３−ブチレングリコールジアセテートまたはエチレングリコールジアセテートとを組み合わせて用いる場合、液体の含有率を変化させて用いることで、インク毎による比重の比を容易に上述した範囲内とすることができる。
【００５０】
また、特に、液性媒体として、オクタン酸エチルと、エチレングリコールジアセテートとを組み合わせて用いた場合、インク毎による表面張力のばらつきを特に均一なものとしつつ、特に容易に、比重を上述した範囲内とすることができる。
また、各インクに用いる液性媒体の組成は、インク毎に異なるものであっても良いし、同様であっても良い。
【００５１】
（グリーンインク）
グリーンインクを構成する液性媒体の２３℃における比重は、特に限定されないが、０．８５〜１．１５ｇ／ｃｍ３であるのが好ましく、０．９０〜１．１０ｇ／ｃｍ３であるのがより好ましい。これにより、インク間の比重のばらつきを特に容易に均一にすることができる。
【００５２】
グリーンインクを構成する液性媒体の２５℃における粘度は、特に限定されないが、１．０〜３．１Ｐａ・ｓであるのが好ましく、１．０〜２．６ｍＰａ・ｓであるのがより好ましい。これにより、各インク間での吐出量のばらつきが発生するのを効果的に防止することができる。
グリーンインク中における液性媒体の含有率は、上述の範囲内であるのが好ましいが、６０〜９２ｗｔ％であるのがより好ましく、７５〜９０ｗｔ％であるのがさらに好ましい。これにより、カラーフィルター用の液滴吐出ヘッドからの吐出性を特に優れたものとしつつ、製造されるカラーフィルターの耐久性を優れたものとすることができる。また、製造されるカラーフィルターにおいて、十分な色濃度を確保することができる。
【００５３】
また、グリーンインクの液性媒体は、構成する液体として、上記のように例示した材料の中でも、ビス（２−ブトキシエチル）エーテルおよび／または２−（２−メトキシ−１−メチルエトキシ）−１−メチルエチルアセテートを含むものであるのが好ましい。これにより、カラーフィルター用インクセットを構成する複数種のインク間の比重の比を、特に容易に上述した範囲内とすることができ、インク間での吐出性を特に均一なものとすることができる。また、カラーフィルター用インクを吐出する液滴吐出ヘッドの目詰まり等を効果的に防止することができる。また、カラーフィルターの製造に、より長期間にわたって安定的に用いることができ、製造されるカラーフィルターを、より高品質で、各部位での色むら、濃度むら等の発生がより確実に防止され、個体間での特性の均一性に優れたものとすることができる。
【００５４】
（レッドインク）
レッドインクを構成する液性媒体の２３℃における比重は、特に限定されないが、０．９０〜１．２０ｇ／ｃｍ３であるのが好ましく、０．９５〜１．１５ｇ／ｃｍ３であるのがより好ましい。これにより、インク間の比重のばらつきを特に容易に均一にすることができる。
【００５５】
レッドインクを構成する液性媒体の２５℃における粘度は、特に限定されないが、１．１〜３．４ｍＰａ・ｓであるのが好ましく、１．３〜３．２ｍＰａ・ｓであるのがより好ましい。これにより、各インク間での吐出量のばらつきが発生するのを効果的に防止することができる。
レッドインク中における液性媒体の含有率は、上述の範囲内であるのが好ましいが、６２〜９４ｗｔ％であるのがより好ましく、７７〜９２ｗｔ％であるのがさらに好ましい。これにより、カラーフィルター用の液滴吐出ヘッドからの吐出性を特に優れたものとしつつ、製造されるカラーフィルターの耐久性を優れたものとすることができる。また、製造されるカラーフィルターにおいて、十分な色濃度を確保することができる。
【００５６】
また、レッドインクの液性媒体は、構成する液体として、上記のように例示した材料の中でも、１，３−ブチレングリコールジアセテート、トリエチレングリコールジアセテート、４−メチル−１，３−ジオキソラン−２−オンから選択される一種または２種以上を含むものであるのが好ましい。これにより、カラーフィルター用インクセットを構成する複数種のインク間の比重の比を、特に容易に上述した範囲内とすることができ、インク間での吐出性を特に均一なものとすることができる。また、カラーフィルター用インクを吐出する液滴吐出ヘッドの目詰まり等を効果的に防止することができる。また、カラーフィルターの製造に、より長期間にわたって安定的に用いることができ、製造されるカラーフィルターを、より高品質で、各部位での色むら、濃度むら等の発生がより確実に防止され、個体間での特性の均一性に優れたものとすることができる。
【００５７】
（ブルーインク）
ブルーインクを構成する液性媒体の２３℃における比重は、特に限定されないが、０．９０〜１．２０ｇ／ｃｍ３であるのが好ましく、０．９５〜１．１５ｇ／ｃｍ３であるのがより好ましい。これにより、インク間の比重のばらつきを特に容易に均一にすることができる。
【００５８】
ブルーインクを構成する液性媒体の２５℃における粘度は、特に限定されないが、１．１〜３．４ｍＰａ・ｓであるのが好ましく、１．３〜３．２ｍＰａ・ｓであるのがより好ましい。これにより、各インク間での吐出量のばらつきが発生するのを効果的に防止することができる。
ブルーインク中における液性媒体の含有率は、上述の範囲内であるのが好ましいが、６２〜９４ｗｔ％であるのがより好ましく、７７〜９２ｗｔ％であるのがさらに好ましい。これにより、カラーフィルター用の液滴吐出ヘッドからの吐出性を特に優れたものとしつつ、製造されるカラーフィルターの耐久性を優れたものとすることができる。また、製造されるカラーフィルターにおいて、十分な色濃度を確保することができる。
【００５９】
また、ブルーインクの液性媒体は、構成する液体として、上記のように例示した材料の中でも、１，３−ブチレングリコールジアセテート、トリエチレングリコールジアセテート、４−メチル−１，３−ジオキソラン−２−オンから選択される一種または２種以上を含むものであるのが好ましい。これにより、カラーフィルター用インクセットを構成する複数種のインク間の比重の比を、特に容易に上述した範囲内とすることができ、インク間での吐出性を特に均一なものとすることができる。また、カラーフィルター用インクを吐出する液滴吐出ヘッドの目詰まり等を効果的に防止することができる。また、カラーフィルターの製造に、より長期間にわたって安定的に用いることができ、製造されるカラーフィルターを、より高品質で、各部位での色むら、濃度むら等の発生がより確実に防止され、個体間での特性の均一性に優れたものとすることができる。
【００６０】
＜分散剤＞
カラーフィルター用インク中には、分散剤が含まれていてもよい。これにより、例えば、カラーフィルター用インクが、分散性の低い顔料を含む場合等であっても、顔料の分散安定性を優れたものとすることができ、カラーフィルター用インクの保存安定性を優れたものとすることができる。
【００６１】
分散剤としては、例えば、カチオン系、アニオン系、ノニオン系、両性、シリコーン系、フッ素系等の界面活性剤が挙げられる。界面活性剤の具体例としては、ポリオキシエチレンラウリルエーテル、ポリオキシエチレンステアリルエーテル、ポリオキシエチレンオレイルエーテル等のポリオキシエチレンアルキルエーテル類；ポリオキシエチレンｎ−オクチルフェニルエーテル、ポリオキシエチレンｎ−ノニルフェニルエーテル等のポリオキシエチレンアルキルフェニルエーテル類；ポリエチレングリコールジラウレート、ポリエチレングリコールジステアレート等のポリエチレングリコールジエステル類；ソルビタン脂肪酸エステル類；脂肪酸変性ポリエステル類；３級アミン変性ポリウレタン類；ポリエチレンイミン類等のほか、以下商品名で、ＫＰ（信越化学工業（株）製）、ポリフロー（共栄社化学（株）製）、エフトップ（トーケムプロダクツ社製）、メガファック（大日本インキ化学工業（株）製）、フロラード（住友スリーエム（株）製）、アサヒガード、サーフロン（以上、旭硝子（株）製）、Ｄｉｓｐｅｒｂｙｋ（ビックケミー・ジャパン（株）製）、ソルスパース３０００，５０００，１１２００，１２０００，１３２４０，１３６５０，１３９４０，１６０００，１７０００，１８０００，２００００，２１０００，２２０００，２４０００ＳＣ，２４０００ＧＲ（日本ルブリゾール（株）製）等が挙げられる。
【００６２】
また、分散剤としては、例えば、シアメリド環を有する化合物を用いることができる。このような化合物を分散剤として用いることにより、カラーフィルター用インク中における着色剤（顔料）の分散性を特に優れたものとすることができるとともに、カラーフィルター用インクの吐出安定性を特に優れたものとし、各インク間での吐出量のばらつきが発生するのをより効果的に防止することができる。
【００６３】
また、分散剤としては、例えば、下記式（Ｉ）および下記式（II）で表される部分構造を有する化合物を用いることができる。このような化合物を分散剤として用いることにより、カラーフィルター用インク中における着色剤（顔料）の分散性を特に優れたものとすることができるとともに、カラーフィルター用インクの吐出安定性を特に優れたものとすることができる。
【００６４】
【化１】
2008241812.tif 000002
（式中、Ｒａ、Ｒｂ及びＲｃは、各々独立に、水素原子、又は置換されていてもよい環状若しくは鎖状の炭化水素基を表すか、Ｒａ、Ｒｂ及びＲｃのうち２つ以上が互いに結合して環状構造を形成する。Ｒｄは水素原子又はメチル基を表す。Ｘは２価の連結基を表し、Ｙ−は対アニオンを表す。）
【００６５】
【化２】
2008241812.tif 000003
（式中、Ｒｅは水素原子又はメチル基を表す。Ｒｆは置換基を有していてもよい環状又は鎖状のアルキル基、置換基を有していてもよいアリール基、又は置換基を有していてもよいアラルキル基を表す。）
【００６６】
カラーフィルター用インク中における分散剤の含有率は、０．１〜１０．０ｗｔ％であるのが好ましい。
なお、カラーフィルター用インクセットを構成する各インクで、分散剤の種類、含有率等の条件は同一であってもよいし、異なるものであってもよい。
【００６７】
＜樹脂材料＞
カラーフィルター用インクは、通常、樹脂材料（バインダー樹脂）を含むものである。これにより、製造されるカラーフィルターにおいて、着色層を基板との密着性に優れたものとすることができ、カラーフィルターの耐久性を優れたものとすることができる。
カラーフィルター用インクを構成する樹脂材料としては、各種熱可塑性樹脂、各種熱硬化性樹脂等、いかなる樹脂材料を用いてもよいが、エポキシ系樹脂であるのが好ましい。エポキシ系樹脂は、透明性が高く、硬度が高いものであるとともに、熱収縮量が小さい。このため、着色部の基板への密着性を特に優れたものとすることができる。また、カラーフィルター用インクを構成する樹脂材料としては、エポキシ系樹脂の中でも、特に、シリルアセテート構造（ＳｉＯＣＯＣＨ３）と、エポキシ構造とを有するエポキシ系樹脂を用いるのが好ましい。これにより、インクジェット方式による液滴吐出を好適に行うことができるとともに、着色層と基板との密着性を特に優れたものとすることができ、カラーフィルターの耐久性を特に優れたものとすることができる。
【００６８】
カラーフィルター用インク中における樹脂材料の含有率は、１．０〜８．０ｗｔ％であるのが好ましく、１．５〜６．５ｗｔ％であるのがより好ましい。樹脂材料の含有率が前記範囲内の値であると、インクの粘度上昇を抑制しつつ塗膜強度（着色部の物理的強度）を優れたものとすることができる。また、カラーフィルター用の液滴吐出ヘッドからの吐出性を特に優れたものとしつつ、製造されるカラーフィルターの耐久性を特に優れたものとすることができる。また、製造されるカラーフィルターにおいて、十分な色濃度を確保することができる。これに対し、樹脂材料の含有率が低すぎると、カラーフィルター用インクの吐出性が低下したり、形成される着色部の硬度が低下し製造されるカラーフィルターの耐久性が低下する。一方、樹脂材料の含有率が高すぎると、製造されるカラーフィルターにおいて、十分な耐熱性を確保するのが困難となり、その結果、色変化が大きくなる可能性がある。
なお、カラーフィルター用インクセットを構成する各インクで、樹脂材料の種類、平均分子量、含有率等の条件は同一であってもよいし、異なるものであってもよい。
【００６９】
＜その他の成分＞
カラーフィルター用インクは、必要に応じて、種々の他の成分を含むものであってもよい。このような成分（他の添加剤）としては、例えば、各種架橋剤;各種重合開始剤；銅フタロシアニン誘導体等の青色顔料誘導体や黄色顔料誘導体等の分散助剤；ガラス、アルミナ等の充填剤；ポリビニルアルコール、ポリエチレングリコールモノアルキルエーテル、ポリフロロアルキルアクリレート等の高分子化合物；ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロキシプロピルトリメトキシシラン、３−メルカプトプロピルトリメトキシシラン等の密着促進剤；２，２−チオビス（４−メチル−６−ｔ−ブチルフェノール）、２，６−ジ−ｔ−ブチルフェノール等の酸化防止剤；２−（３−ｔ−ブチル−５−メチル−２−ヒドロキシフェニル）−５−クロロベンゾトリアゾール、アルコキシベンゾフェノン等の紫外線吸収剤；ポリアクリル酸ナトリウム等の凝集防止剤；メタノール、エタノール、ｉ−プロパノール、ｎ−ブタノール、グリセリン等のインクジェット吐出性能安定化剤；以下商品名で、エフトップＥＦ３０１、同ＥＦ３０３、同ＥＦ３５２（以上、新秋田化成（株）製）、メガファックＦ１７１、同Ｆ１７２、同Ｆ１７３、同Ｆ１７８Ｋ（以上、大日本インキ化学工業（株）製）、フロラードＦＣ４３０、同ＦＣ４３１（以上、住友スリーエム（株）製）、アサヒガードＡＧ７１０、サーフロンＳ−３８２、同ＳＣ−１０１、同ＳＣ−１０２、同ＳＣ−１０３、同ＳＣ−１０４、同ＳＣ−１０５、同ＳＣ−１０６（以上、旭硝子（株）製）、ＫＰ３４１（信越化学工業（株）製）、ポリフローＮｏ．７５、同Ｎｏ．９５（以上、共栄社油脂化学工業（株）製）等の界面活性剤等が挙げられる。
【００７０】
また、カラーフィルター用インクは、熱酸発生剤や酸架橋剤を含有するものであってもよい。前記熱酸発生剤は、加熱により酸を発生する成分であり、その例としては、スルホニウム塩、ベンゾチアゾリウム塩、アンモニウム塩、ホスホニウム塩等のオニウム塩等が挙げられ、特に、スルホニウム塩およびベンゾチアゾリウム塩が好ましい。
なお、カラーフィルター用インクセットを構成する各インクで、これらの「その他の成分」の種類、含有率等の条件は同一であってもよいし、異なるものであってもよい。
【００７１】
《カラーフィルター》
次に、上述したようなカラーフィルター用インクセットを用いて製造されるカラーフィルターの一例について説明する。
図１は、本発明のカラーフィルターの好適な実施形態を示す断面図である。
図１に示すように、カラーフィルター１は、基板１１と、上述したカラーフィルター用インクセットを用いて成形された着色部１２とを備えている。着色部１２としては、互いに異なる種類のインクを用いて形成された第１の着色部１２Ａ、第２の着色部１２Ｂ、および第３の着色部１２Ｃが設けられている。そして、隣接する着色部１２の間には、隔壁１３が設けられている。なお、第１の着色部１２Ａ、第２の着色部１２Ｂ、および第３の着色部１２Ｃは、互いの異なる種類のインクを用いて形成されたものであればよいが、以下の説明では、第１の着色部１２Ａがレッドインクを用いて形成され、第２の着色部１２Ｂがグリーンインクを用いて形成され、第３の着色部１２Ｃがブルーインクを用いて形成された場合について、中心的に説明する。
【００７２】
＜基板＞
基板１１は、光透過性を有する板状の部材で、着色部１２、隔壁１３を保持する機能を有している。
基板１１は、実質的に透明な材料で構成されたものであるのが好ましい。これにより、カラーフィルター１を透過する光により、より鮮明な画像を形成することができる。
【００７３】
また、基板１１は、耐熱性、機械的強度に優れたものであるのが好ましい。これにより、例えば、カラーフィルター１の製造時に加わる熱による変形等を確実に防止することができる。このような条件を満足する基板１１の構成材料としては、例えば、ガラス、シリコン、ポリカーボネート、ポリエステル、芳香族ポリアミド、ポリアミドイミド、ポリイミド、ノルボルネン系開環重合体やその水素添加物等が挙げられる。
【００７４】
＜着色部＞
着色部１２は、上述したようなカラーフィルター用インクセットを用いて形成されたものである。
各着色部１２（第１の着色部１２Ａ、第２の着色部１２Ｂ、および第３の着色部１２Ｃ）は、上述したようなカラーフィルター用インクセットを用いて形成されたものであるため、各色間、各画素間での特性のばらつきが小さい。このため、カラーフィルター１は、色再現域が十分に広く、また、色むら、濃度むらの発生が抑制され、信頼性が高いものとなっている。
各着色部１２は、後述する隔壁１３により囲まれた領域であるセル１４内に設けられている。
【００７５】
第１の着色部１２Ａ、第２の着色部１２Ｂ、および第３の着色部１２Ｃは、互いに異なる色のものである。例えば、第１の着色部１２Ａを赤色フィルター領域（Ｒ）、第２の着色部１２Ｂを緑色フィルター領域（Ｇ）、第３の着色部１２Ｃを青色フィルター領域（Ｂ）とすることができる。そして、一組の異なる色の着色部１２Ａ、１２Ｂ、１２Ｃで１画素を構成している。そして、カラーフィルター１においては、その横方向および縦方向に、着色部１２が所定数配置されている。例えば、カラーフィルター１が、ハイビジョン用のカラーフィルターである場合には１３６６×７６８個の画素が配置されており、フルハイビジョン用のカラーフィルターである場合には１９２０×１０８０個の画素が配置されており、スーパーハイビジョン用のカラーフィルターである場合には７６８０×４３２０個の画素が配置されている。なお、カラーフィルター１は、例えば、有効領域外に予備の画素を備えたものであってもよい。
【００７６】
＜隔壁＞
隣接する着色部１２の間には、隔壁（バンク）１３が設けられている。これにより、隣接する着色部１２同士が混色してしまうのを確実に防止することができ、その結果、鮮明な画像を確実に表示することができる。
隔壁１３は、透明な材料で構成されたものであってもよいが、遮光性を有する材料で構成されたものであるのが好ましい。これにより、コントラストに優れた画像を表示することができる。隔壁（遮光部）１３の色は、特に限定されないが、黒色であるのが好ましい。これにより、表示される画像のコントラストを特に優れたものとすることができる。
【００７７】
隔壁１３の高さは、特に限定されないが、着色部１２の膜厚よりも大きいものであるのが好ましい。これにより、隣接する着色部１２の間での混色を確実に防止しつつ、保護膜１５により着色部１２を確実に保護することができる。隔壁１３の具体的な厚さは、０．１〜１０μｍであるのが好ましく、０．５〜３．０μｍであるのがより好ましい。これにより、隣接する着色部１２の間での混色を確実に防止しつつ、保護膜１５により着色部１２を確実に保護することができるとともに、カラーフィルター１を備えた画像表示装置、電子機器における視野角特性を優れたものとすることができる。
【００７８】
隔壁１３は、いかなる材料で構成されたものであってもよいが、例えば、主として樹脂材料で構成されたものであるのが好ましい。これにより、後述するような方法で、隔壁１３を容易に所望の形状を有するものとして形成することができる。また、隔壁１３が遮光部としての機能を有するものである場合、その構成材料として、カーボンブラック等の光吸収性の材料を含むものであってもよい。
【００７９】
《カラーフィルターの製造方法》
次に、カラーフィルター１の製造方法の一例について説明する。
図２は、カラーフィルターの製造方法を示す断面図、図３は、カラーフィルターの製造に用いる液滴吐出装置を示す斜視図、図４は、図３に示す液滴吐出装置における液滴吐出手段をステージ側から観察した図、図５は、図３に示す液滴吐出装置における液滴吐出ヘッドの底面を示す図、図６は、図３に示す液滴吐出装置における液滴吐出ヘッドを示す図であり、（ａ）は断面斜視図、（ｂ）は断面図である。
【００８０】
図２に示すように、本実施形態では、基板１１を準備する基板準備工程（１ａ）と、基板１１上に隔壁１３を形成する隔壁形成工程（１ｂ、１ｃ）と、インクジェット方式によりカラーフィルター用インク２を隔壁１３で囲まれた領域に付与するインク付与工程（１ｄ）と、カラーフィルター用インク２から液性媒体を除去し、固形状の着色部１２とする着色部形成工程（１ｅ）と、着色部１２が設けられた面側に保護膜１５を被覆する保護膜形成工程（１ｆ）とを有している。
【００８１】
＜基板準備工程＞
まず、基板１１を準備する（１ａ）。本工程で準備する基板１１は、洗浄処理が施されたものであるのが好ましい。また、本工程で準備する基板１１は、シランカップリング剤等による薬品処理、プラズマ処理、イオンプレーティング、スパッタリング、気相反応法、真空蒸着等の適宜の前処理が施されたものであってもよい。
【００８２】
＜隔壁形成工程＞
次に、基板１１の隔壁形成用の感放射線性組成物を基板１１の一方の面のほぼ全体に付与し、塗膜３を形成する（１ｂ）。なお、基板１１上に感放射線性組成物を付与した後、必要に応じて、プリベーク処理を行ってもよい。プリベーク処理は、例えば、加熱温度：５０〜１５０℃、加熱時間：３０〜６００秒という条件で行うことができる。
【００８３】
その後、フォトマスクを介して、放射線を照射して、ポストエキスポジャーベーク処理（ＰＥＢ）を行い、さらに、アルカリ現像液を用いた現像処理を行うことにより、隔壁１３が形成される（１ｃ）。ＰＥＢは、例えば、加熱温度：５０〜１５０℃、加熱時間：３０〜６００秒、放射線照射強度：１〜５００ｍＪ／ｃｍ２という条件で行うことができる。また、現像処理は、例えば、液盛り法、ディッピング法、振動浸漬法等により行うことができ、現像処理時間は、例えば、１０〜３００秒とすることができる。また、現像処理の後、必要に応じて、ポストベーク処理を行ってもよい。ポストベーク処理は、例えば、加熱温度：１５０〜２８０℃、加熱時間：３〜１２０分という条件で行うことができる。
【００８４】
＜インク付与工程＞
次に、インクジェット方式により、上述したカラーフィルター用インクセットを構成するカラーフィルター用インク（インク）２を、隔壁１３で囲まれたセル１４内に付与する（１ｄ）。
本工程は、形成すべき複数色の着色部１２に対応する複数種のカラーフィルター用インク２を備えたカラーフィルター用インクセットを用いて行う。この際、隔壁１３が設けられているため、２種以上のカラーフィルター用インク２が混ざり合うことが確実に防止される。
カラーフィルター用インク２の吐出は、図３〜図６に示すような液滴吐出装置を用いて行う。
【００８５】
図３に示すように、本工程で用いる液滴吐出装置１００は、カラーフィルター用インク２を保持するタンク１０１と、チューブ１１０と、チューブ１１０を介してタンク１０１からカラーフィルター用インク２が供給される吐出走査部１０２とを備える。吐出走査部１０２は、複数の液滴吐出ヘッド（インクジェットヘッド）１１４をキャリッジ１０５に搭載してなる液滴吐出手段１０３と、液滴吐出手段１０３の位置を制御する第１位置制御装置１０４（移動手段）と、前記工程で隔壁１３が形成された基板１１（以下、単に「基板１１」とも言う。）を保持するステージ１０６と、ステージ１０６の位置を制御する第２位置制御装置１０８（移動手段）と、制御手段１１２とを備えている。タンク１０１と、液滴吐出手段１０３における複数の液滴吐出ヘッド１１４とは、チューブ１１０で連結されており、タンク１０１から複数の液滴吐出ヘッド１１４のそれぞれにカラーフィルター用インク２が圧縮空気によって供給される。
【００８６】
第１位置制御装置１０４は、制御手段１１２からの信号に応じて、液滴吐出手段１０３をＸ軸方向、およびＸ軸方向に直交するＺ軸方向に沿って移動させる。さらに、第１位置制御装置１０４は、Ｚ軸に平行な軸の回りで液滴吐出手段１０３を回転させる機能も有する。本実施形態では、Ｚ軸方向は、鉛直方向（つまり重力加速度の方向）に平行な方向である。第２位置制御装置１０８は、制御手段１１２からの信号に応じて、Ｘ軸方向およびＺ軸方向の双方に直交するＹ軸方向に沿ってステージ１０６を移動させる。さらに、第２位置制御装置１０８は、Ｚ軸に平行な軸の回りでステージ１０６を回転させる機能も有する。
ステージ１０６は、Ｘ軸方向とＹ軸方向との双方に平行な平面を有する。また、ステージ１０６は、カラーフィルター用インク２を付与すべきセル１４を有する基板１１をその平面上に固定、または保持できるように構成されている。
【００８７】
上述のように、液滴吐出手段１０３は、第１位置制御装置１０４によってＸ軸方向に移動させられる。一方、ステージ１０６は、第２位置制御装置１０８によってＹ軸方向に移動させられる。つまり、第１位置制御装置１０４および第２位置制御装置１０８によって、ステージ１０６に対する液滴吐出ヘッド１１４の相対位置が変わる（ステージ１０６に保持された基板１１と、液液滴吐出手段１０３とが相対的に移動する）。
制御手段１１２は、カラーフィルター用インク２を吐出すべき相対位置を表す吐出データを外部情報処理装置から受け取るように構成されている。
【００８８】
図４に示すように、液滴吐出手段１０３は、それぞれほぼ同じ構造を有する複数の液滴吐出ヘッド１１４と、これらの液滴吐出ヘッド１１４を保持するキャリッジ１０５とを有している。本実施形態では、液滴吐出手段１０３に保持される液滴吐出ヘッド１１４の数は８個である。それぞれの液滴吐出ヘッド１１４は、後述する複数のノズル１１８が設けられた底面を有している。それぞれの液滴吐出ヘッド１１４のこの底面の形状は、２つの長辺と２つの短辺とを有する多角形である。液滴吐出手段１０３に保持された液滴吐出ヘッド１１４の底面はステージ１０６側を向いており、さらに、液滴吐出ヘッド１１４の長辺方向と短辺方向とは、それぞれＸ軸方向とＹ軸方向とに平行である。
【００８９】
図５に示すように、液滴吐出ヘッド１１４は、Ｘ軸方向に並んだ複数のノズル１１８を有する。これら複数のノズル１１８は、液滴吐出ヘッド１１４におけるＸ軸方向のノズルピッチＨＸＰが所定の値となるように配置されている。ノズルピッチＨＸＰの具体的な値は、特に限定されないが、例えば、５０〜９０μｍとすることができる。ここで、「液滴吐出ヘッド１１４におけるＸ軸方向のノズルピッチＨＸＰ」は、液滴吐出ヘッド１１４におけるノズル１１８のすべてをＹ軸方向に沿ってＸ軸上に射像して得られた複数のノズル像間のピッチに相当する。
【００９０】
本実施形態では、液滴吐出ヘッド１１４における複数のノズル１１８は、ともにＸ軸方向に延びるノズル列１１６Ａと、ノズル列１１６Ｂとをなす。ノズル列１１６Ａと、ノズル列１１６Ｂとは、間隔を空けて並行に配置されている。そして、本実施形態においては、ノズル列１１６Ａおよびノズル列１１６Ｂのそれぞれにおいて、９０個のノズル１１８が一定間隔ＬＮＰでＸ軸方向に一列に並んでいる。ＬＮＰの具体的な値は、特に限定されないが、１００〜１８０μｍとすることができる。
ノズル列１１６Ｂの位置は、ノズル列１１６Ａの位置に対して、ノズルピッチＬＮＰの半分の長さだけＸ軸方向の正の方向（図５の右方向）にずれている。このため、液滴吐出ヘッド１１４のＸ軸方向のノズルピッチＨＸＰは、ノズル列１１６Ａ（またはノズル列１１６Ｂ）のノズルピッチＬＮＰの半分の長さである。
【００９１】
したがって、液滴吐出ヘッド１１４のＸ軸方向のノズル線密度は、ノズル列１１６Ａ（またはノズル列１１６Ｂ）のノズル線密度の２倍である。なお、本明細書において「Ｘ軸方向のノズル線密度」とは、複数のノズルをＹ軸方向に沿ってＸ軸上に射像して得られた複数のノズル像の単位長さ当たりの数に相当する。もちろん、液滴吐出ヘッド１１４が含むノズル列の数は、２つだけに限定されない。液滴吐出ヘッド１１４はＭ個のノズル列を含んでもよい。ここで、Ｍは１以上の自然数である。この場合には、Ｍ個のノズル列のそれぞれにおいて複数のノズル１１８は、ノズルピッチＨＸＰのＭ倍の長さのピッチで並ぶ。さらに、Ｍが２以上の自然数の場合には、Ｍ個のノズル列のうちの一つに対して、他の（Ｍ−１）個のノズル列は、ノズルピッチＨＸＰのｉ倍の長さだけ重複無くＸ軸方向にずれている。ここで、ｉは１から（Ｍ−１）までの自然数である。
【００９２】
さて、本実施形態では、ノズル列１１６Ａおよびノズル列１１６Ｂのそれぞれが９０個のノズル１１８からなるため、１つの液滴吐出ヘッド１１４は１８０個のノズル１１８を有する。ただし、ノズル列１１６Ａの両端のそれぞれ５ノズルは「休止ノズル」として設定されている。同様に、ノズル列１１６Ｂの両端のそれぞれ５ノズルも「休止ノズル」として設定されている。そして、これら２０個の「休止ノズル」からはカラーフィルター用インク２が吐出されない。このため、液滴吐出ヘッド１１４における１８０個のノズル１１８のうち、１６０個のノズル１１８がカラーフィルター用インク２を吐出するノズルとして機能する。
【００９３】
図４に示すように、液滴吐出手段１０３においては、複数個の上記液滴吐出ヘッド１１４がＸ軸方向に沿って２列に配置されている。一方の列の液滴吐出ヘッド１１４と他方の列の液滴吐出ヘッド１１４とは、休止ノズル分を考慮して、Ｙ軸方向から見て一部重なるように配置されている。これにより、液滴吐出手段１０３においては、基板１１のＸ軸方向の寸法分の長さに渡り、カラーフィルター用インク２を吐出するノズル１１８が前記ノズルピッチＨＸＰでＸ軸方向に連続するように構成されている。
本実施形態の液滴吐出手段１０３では、基板１１のＸ軸方向の寸法分の長さ全体をカバーするように液滴吐出ヘッド１１４を配置しているが、液滴吐出手段は、基板１１のＸ軸方向の寸法分の長さの一部をカバーするようにものでもよい。
【００９４】
図６（ａ）および（ｂ）に示すように、それぞれの液滴吐出ヘッド１１４は、インクジェットヘッドである。より具体的には、それぞれの液滴吐出ヘッド１１４は、振動板１２６と、ノズルプレート１２８とを備えている。振動板１２６と、ノズルプレート１２８との間には、タンク１０１から孔１３１を介して供給されるカラーフィルター用インク２が常に充填される液たまり１２９が位置している。
【００９５】
また、振動板１２６と、ノズルプレート１２８との間には、複数の隔壁１２２が位置している。そして、振動板１２６と、ノズルプレート１２８と、１対の隔壁１２２とによって囲まれた部分がキャビティ１２０である。キャビティ１２０はノズル１１８に対応して設けられているため、キャビティ１２０の数とノズル１１８の数とは同じである。キャビティ１２０には、１対の隔壁１２２間に位置する供給口１３０を介して、液たまり１２９からカラーフィルター用インク２が供給される。
【００９６】
振動板１２６上には、それぞれのキャビティ１２０に対応して、振動子１２４が位置する。振動子１２４は、ピエゾ素子１２４Ｃと、ピエゾ素子１２４Ｃを挟む１対の電極１２４Ａ、１２４Ｂとを含む。この１対の電極１２４Ａ、１２４Ｂとの間に駆動電圧を与えることで、対応するノズル１１８からカラーフィルター用インク２が吐出される。なお、ノズル１１８からＺ軸方向にカラーフィルター用インク２が吐出されるように、ノズル１１８の形状が調整されている。
【００９７】
制御手段１１２（図３参照）は、複数の振動子１２４のそれぞれに互いに独立に信号を与えるように構成されていてもよい。つまり、ノズル１１８から吐出されるカラーフィルター用インク２の体積が、制御手段１１２からの信号に応じてノズル１１８毎に制御されてもよい。また、制御手段１１２は、塗布走査の間に吐出動作を行うノズル１１８と、吐出動作を行わないノズル１１８とを設定することでもできる。
本明細書では、１つのノズル１１８と、ノズル１１８に対応するキャビティ１２０と、キャビティ１２０に対応する振動子１２４とを含んだ部分を「吐出部１２７」と表記することもある。この表記によれば、１つの液滴吐出ヘッド１１４は、ノズル１１８の数と同じ数の吐出部１２７を有する。
【００９８】
上記のような液滴吐出装置１００を用いて、カラーフィルター１が有する複数色の着色部１２に対応するカラーフィルター用インク２を、セル１４内に付与する。上記のような装置を用いることにより、セル１４内に、効率よくかつ選択的にカラーフィルター用インク２を付与することができる。なお、図示の構成では、液滴吐出装置１００は、カラーフィルター用インク２を保持するタンク１０１、チューブ１１０等を１色分しか有していないが、これらの部材を、カラーフィルター１が有する複数色の着色部１２に対応する複数色分有するものであってもよい。また、カラーフィルター１の製造においては、複数色のカラーフィルター用インク２に対応する複数の液滴吐出装置１００を用いてもよい。
【００９９】
一般に、振動子は、各インクの物性に合わせて、駆動波形（吐出時にインクに与える圧力の大きさ、タイミング）を調整する。このため、従来のインクを用いた場合、液滴の吐出量、吐出のタイミングを調整するため、各インク毎に波形を設計する必要があった。また、カラーフィルターの製造に用いる液滴吐出装置は、過酷な条件下で長期間大量の液滴を吐出することが要求される。このような場合、各インクに対して波形を最適化した場合であっても、温度、湿度等の環境が変化してしまうと、微妙な各インクの比重の違いによって、各インクの液滴の吐出性のばらつきが大きいものとなっていた。これに対し、本発明のカラーフィルター用インクセットは、各インク間での比重の比が上述した範囲内にあることで、吐出性（液滴吐出ヘッドからの吐出のされやすさ、吐出量、吐出のタイミング等）の均一性に優れており、長期間にわたって、吐出の均一性が安定的に保持されている。このため、各セルに付与されるカラーフィルター用インクの液滴量の不本意なばらつきが発生することを確実に防止することができる。その結果、最終的に得られるカラーフィルターにおいて、各着色部間での着色濃度の均一性を優れたものとすることができる。特に、カラーフィルターの製造に用いる液滴吐出装置（産業用）は、プリンターに適用されるもの（民生用）とは全く異なるものであり、例えば、大量生産を行ったり、大型のワーク（基板）への液滴吐出に用いたりするため、大量の液滴を長時間にわたって吐出することが求められるが、このような過酷な条件での液滴吐出においても、本発明のカラーフィルター用インクセットを用いることにより、安定的な液滴吐出を行うことができるため、最終的に得られるカラーフィルターにおいて、各着色部間での着色濃度の均一性を十分に優れたものとすることができるとともに、各カラーフィルター間での品質のばらつきの発生も効果的に防止することができる。また、本発明のカラーフィルター用インクセットを用いた場合、振動子に与えられる駆動波形が同一であった場合でも、各インク間の吐出性が均一になるため、液滴吐出装置をより簡素なものとすることができる。
なお、本発明では、液滴吐出ヘッド１１４は、駆動素子として、ピエゾ素子の代わりに静電アクチュエータを用いるものでもよい。また、液滴吐出ヘッド１１４は、駆動素子として電気熱変換素子を用い、この電気熱変換素子による材料の熱膨張を利用してカラーフィルター用インクを吐出する構成であってもよい。
【０１００】
＜脱液性媒体除去工程＞
次に、セル１４内のカラーフィルター用インク２から液性媒体を除去し、固形状の着色部１２とする（１ｅ）。これにより、カラーフィルター１が得られる。また、本工程においては、必要に応じて、樹脂材料を架橋成分等と反応させてもよい。液性媒体の除去は、例えば、加熱により行うことができる。また、この際、カラーフィルター用インク２が付与された基板１１を、減圧環境下に置いてもよい。これにより、基板１１等への悪影響の発生を防止しつつ、液性媒体の除去をより効率よく進行させることができる。また、本工程においては、紫外線や電子線、もしくは放射線等のエネルギー照射を行ってもよい。これにより、樹脂材料の架橋成分等との反応を効率よく進行させることができる。
【０１０１】
《画像表示装置》
次に、カラーフィルター１を有する画像表示装置（電気光学装置）である液晶表示装置の好適な実施形態について説明する。
図７は、液晶表示装置の好適な実施形態を示す断面図である。同図に示すように、液晶表示装置６０は、カラーフィルター１と、カラーフィルター１の着色部１２に対向するように設けられた基板（対向基板）６２と、カラーフィルター１と基板６２との間の空隙に封入された液晶よりなる液晶層６１と、カラーフィルター１の基板１１の図７中下側に設けられた偏光板６３と、基板６２の図７中上側に設けられた偏光板６４とを有している。基板６２は、可視光に対して光透過性を有する基板であり、例えばガラス基板である。
【０１０２】
また、液晶表示装置６０は、マトリクス状に配置され、可視光に対して光透過性を有する複数の画素電極と、各画素電極に対応する複数のスイッチング素子（例えば、ＴＦＴ：薄膜トランジスタ）と、可視光に対して光透過性を有する共通電極とを有している（いずれも図示せず）。
そして、この液晶表示装置６０は、図示しないバックライトから発せられた光が、カラーフィルター１側（図７中下側）から入射するようになっている。そして、カラーフィルター１の各着色部１２（１２Ａ、１２Ｂ、１２Ｃ）に入射した光は、各着色部１２（１２Ａ、１２Ｂ、１２Ｃ）に対応する色の光として、反対の面側から出射する。
上述したように、着色部１２は、本発明のカラーフィルター用インクセットを用いて形成されたものであるため、各色間、各画素間での特性のばらつきが抑制されたものである。その結果、液晶表示装置６０において、色再現域が十分に広く、また、色むら、濃度むらが抑制された画像を安定的に表示することができる。
【０１０３】
《電子機器》
前述したようなカラーフィルター１を有する液晶表示装置等の画像表示装置（電気光学装置）１０００は、各種電子機器の表示部に用いることができる。
図８は、本発明の電子機器を適用したモバイル型（またはノート型）のパーソナルコンピュータの構成を示す斜視図である。
この図において、パーソナルコンピュータ１１００は、キーボード１１０２を備えた本体部１１０４と、表示ユニット１１０６とにより構成され、表示ユニット１１０６は、本体部１１０４に対しヒンジ構造部を介して回動可能に支持されている。
このパーソナルコンピュータ１１００においては、表示ユニット１１０６が画像表示装置１０００を備えている。
図９は、本発明の電子機器を適用した携帯電話機（ＰＨＳも含む）の構成を示す斜視図である。
この図において、携帯電話機１２００は、複数の操作ボタン１２０２、受話口１２０４および送話口１２０６とともに、画像表示装置１０００を表示部に備えている。
【０１０４】
図１０は、本発明の電子機器を適用したディジタルスチルカメラの構成を示す斜視図である。なお、この図には、外部機器との接続についても簡易的に示されている。
ここで、通常のカメラは、被写体の光像により銀塩写真フィルムを感光するのに対し、ディジタルスチルカメラ１３００は、被写体の光像をＣＣＤ（Charge Coupled Device）などの撮像素子により光電変換して撮像信号（画像信号）を生成する。
【０１０５】
ディジタルスチルカメラ１３００におけるケース（ボディー）１３０２の背面には、画像表示装置１０００が表示部に設けられ、ＣＣＤによる撮像信号に基づいて表示を行う構成になっており、被写体を電子画像として表示するファインダとして機能する。
ケースの内部には、回路基板１３０８が設置されている。この回路基板１３０８は、撮像信号を格納（記憶）し得るメモリが設置されている。
【０１０６】
また、ケース１３０２の正面側（図示の構成では裏面側）には、光学レンズ（撮像光学系）やＣＣＤなどを含む受光ユニット１３０４が設けられている。
撮影者が表示部に表示された被写体像を確認し、シャッタボタン１３０６を押下すると、その時点におけるＣＣＤの撮像信号が、回路基板１３０８のメモリに転送・格納される。
【０１０７】
また、このディジタルスチルカメラ１３００においては、ケース１３０２の側面に、ビデオ信号出力端子１３１２と、データ通信用の入出力端子１３１４とが設けられている。そして、図示のように、ビデオ信号出力端子１３１２にはテレビモニタ１４３０が、デ−タ通信用の入出力端子１３１４にはパーソナルコンピュータ１４４０が、それぞれ必要に応じて接続される。さらに、所定の操作により、回路基板１３０８のメモリに格納された撮像信号が、テレビモニタ１４３０や、パーソナルコンピュータ１４４０に出力される構成になっている。
【０１０８】
なお、本発明の電子機器は、上述したパーソナルコンピュータ（モバイル型パーソナルコンピュータ）、携帯電話機、ディジタルスチルカメラの他にも、例えば、テレビ（例えば、液晶テレビ）や、ビデオカメラ、ビューファインダ型、モニタ直視型のビデオテープレコーダ、ラップトップ型パーソナルコンピュータ、カーナビゲーション装置、ページャ、電子手帳（通信機能付も含む）、電子辞書、電卓、電子ゲーム機器、ワードプロセッサ、ワークステーション、テレビ電話、防犯用テレビモニタ、電子双眼鏡、ＰＯＳ端末、タッチパネルを備えた機器（例えば金融機関のキャッシュディスペンサー、自動券売機）、医療機器（例えば電子体温計、血圧計、血糖計、心電表示装置、超音波診断装置、内視鏡用表示装置）、魚群探知機、各種測定機器、計器類（例えば、車両、航空機、船舶の計器類）、フライトシュミレータ、その他各種モニタ類、プロジェクター等の投射型表示装置等に適用することができる。中でも、テレビは、近年の表示部の大型化の傾向が顕著であるが、このような大型の表示部（例えば、対角線長８０ｃｍ以上の表示部）を有する電子機器では、従来のカラーフィルター用インクセットを用いて製造されるカラーフィルターを適用した場合、色むら、濃度むらの問題を特に生じやすかったが、本発明を適用すれば、このような問題の発生を確実に防止することができる。すなわち、上記のような大型の表示部を有する電子機器に適用した場合に、本発明の効果は、より顕著に発揮される。
【０１０９】
以上、本発明について、好適な実施形態に基づいて説明したが、本発明はこれらに限定されるものではない。
例えば、前述した実施形態においては、各色の着色部に対応するカラーフィルター用インクを、セル内に付与した後に、一括で、セル内の各色のカラーフィルター用インクから液性媒体を除去するもの、すなわち、着色部形成工程を１回のみ行うものとして説明したが、インク付与工程および着色部形成工程は、各色に対応して、繰り返し行うものであってもよい。
【０１１０】
また、本発明のカラーフィルターにおいては、着色部の基板に対向する面とは反対の面側に、着色部を被覆する保護膜が設けられていてもよい。これにより、着色部の損傷や劣化等をより効果的に防止することができる。
また、カラーフィルター、画像表示装置、電子機器を構成する各部は、同様の機能を発揮する任意のものと置換、または、その他の構成を追加することもできる。
【０１１１】
また、前述した実施形態では、カラーフィルター用のインクセットが、光の三原色に対応する３種（３色）のカラーフィルター用インクを備える場合について中心的に説明したが、カラーフィルター用インクセットを構成するカラーフィルター用インクの数、種類（色）は、上述したものに限定されない。例えば、本発明のカラーフィルター用インクセットは、４種以上のカラーフィルター用インクを備えるものであってもよい。
【実施例】
【０１１２】
［１］カラーフィルター用インクセットの調製
（実施例１）
まず、樹脂材料としての樹脂ａを以下のようにして合成した。
四つ口フラスコに、ｎ−ヘキサン：３２０重量部、メタアクリル酸：８６重量部、トリエチルアミン：１１１重量部を投入した後、この四つ口フラスコに、温度計、還流冷却器、撹拌機および窒素ガス導入口を取り付けた。この四つ口フラスコを、氷水で冷却しつつ、トリメチルクロルシラン：１２０重量部を滴下した。この際、反応系内の温度が２５℃以下となるようにした。その後、２５℃で１時間反応を続けた。次に、トリエチルアミンの塩酸塩を濾別し、得られたろ液から減圧下でｎ−ヘキサンを除去した後、減圧蒸留にて精製し、シリルアセテート構造を有するエチレン性不飽和単量体を得た。
【０１１３】
次に、温度計、還流冷却器、撹拌機および窒素ガス導入口が取り付けられ、溶媒としてのジエチレングリコールモノブチルエーテルアセテート：１００重量部を仕込んだ四つ口フラスコを用意した。この四つ口フラスコ内のジエチレングリコールモノブチルエーテルアセテートを攪拌しつつ６０℃まで昇温した後、上記エチレン性不飽和単量体：２７重量部と、メタアクリル酸グリシジル：３０重量部と、スチレン：３８重量部と、２，２′−アゾビス−（２，４−ジメチルバレロニトリル）：６重量部との混合物を１時間かけて滴下した。滴下後６０℃にて１時間保持した後、２，２′−アゾビス−（２，４−ジメチルバレロニトリル）：０．０８重量部を加え、さらに６０℃で６時間反応させ、その後、未反応のモノマーを減圧処理により除去することにより、シリルアセテート構造とエポキシ構造とを有するエポキシ系樹脂としての樹脂ａの溶液を得た。
【０１１４】
一方、１００重量部のジエチレングリコールモノブチルエーテルアセテート（液性媒体を構成する液体）を用意し、これに、分散剤としてのＤｉｓｐｅｒｂｙｋ−１６１（ビックケミー・ジャパン社製、シアメリド環を有する化合物）：６．０重量部と、Ｃ．Ｉ．ピグメントグリーン３６：８．６重量部と、着色剤としてのＣ．Ｉ．ピグメントイエロー１５０：３．６重量部とを添加した。その後、ビーズミル（ジルコニアビーズ：０．６５ｍｍ使用）へ導入し、顔料の粉砕を行い、顔料分散液を得た。
その後、上記樹脂ａの溶液と、顔料分散液とを混合することにより、緑色のカラーフィルター用インク（グリーンインク（Ｇインク））を調製した。グリーンインク中におけるＣ．Ｉ．ピグメントグリーン３６、およびＣ．Ｉ．ピグメントイエロー１５０が混在した粒子の平均粒径は、６０ｎｍであった。
【０１１５】
また、着色剤としてＣ．Ｉ．ピグメントグリーン３６の代わりにＣ．Ｉ．ピグメントレッド２５４を用いるとともに、樹脂合成における溶媒、顔料分散液の調製に用いる液性媒体を変更し、さらに、各成分の配合比率を変更した以外は、グリーンインクと同様にして赤色のカラーフィルター用インク（レッドインク（Ｒインク））を調製した。レッドインク中におけるＣ．Ｉ．ピグメントレッド２５４、およびＣ．Ｉ．ピグメントイエロー１５０が混在した粒子の平均粒径は、６０ｎｍであった。
【０１１６】
また、着色剤としてＣ．Ｉ．ピグメントグリーン３６、Ｃ．Ｉ．ピグメントイエロー１５０の代わりにＣ．Ｉ．ピグメントブルー１５：６を用いるとともに、樹脂合成における溶媒、顔料分散液の調製に用いる液性媒体を変更し、さらに、各成分の配合比率を変更した以外は、グリーンインクと同様にして青色のカラーフィルター用インク（ブルーインク（Ｂインク））を調製した。ブルーインク中におけるＣ．Ｉ．ピグメントブルー１５：６の平均粒径は、６０ｎｍであった。
これにより、上記のような３種のインク（カラーフィルター用インク）からなるカラーフィルター用インクセットが得られた。
【０１１７】
（実施例２〜１３）
着色剤、液性媒体の種類を表に示すようにするとともに、各成分の使用量を表に示すようにした以外は、前記実施例１と同様にして各色のカラーフィルター用インクを調製し、カラーフィルター用インクセットを得た。
（比較例１、２）
液性媒体の種類、使用量を表に示すようにした以外は、前記実施例１と同様にして各色のカラーフィルター用インクを調製し、カラーフィルター用インクセットを得た。
前記各実施例および各比較例について、カラーフィルター用インクセットを構成するインクの組成・特性等を、表１、表２にまとめて示した。なお、表中、Ｃ．Ｉ．ピグメントレッド２５４を「ＰＲ２５４」、Ｃ．Ｉ．ピグメントイエロー１５０を「ＰＹ１５０」、Ｃ．Ｉ．ピグメントグリーン３６を「ＰＧ３６」、Ｃ．Ｉ．ピグメントブルー１５：６を「ＰＢ１５：６」、Ｃ．Ｉ．ピグメントレッド１７７を「ＰＲ１７７」、上記樹脂ａを「ａ」、Ｄｉｓｐｅｒｂｙｋ−１６１（分散剤）を「ｂ」、ジエチレングリコールモノブチルエーテルアセテートを「Ａ」、１，３−ブチレングリコールジアセテートを「Ｂ」、オクタン酸エチルを「Ｃ」、ジエチレングリコールモノエチルエーテルアセテートを「Ｄ」、ビス（２−ブトキシエチル）エーテルを「Ｅ」、４−メチル−１，３−ジオキソラン−２−オンを「Ｆ」、エチレングリコールジアセテートを「Ｇ」、トリエチレングリコールジアセテートを「Ｈ」、２−（２−メトキシ−１−メチルエトキシ）−１−メチルエチルアセテートを「Ｉ」、ジエチレングリコールブチルメチルエーテルを「J」で示した。また、表中、「粘度」の欄には、振動式粘度計を用いて、ＪＩＳ  Ｚ８８０９に準拠して測定された２５℃における粘度を示し、「沸点」の欄には、液性媒体の常圧（１気圧）における沸点を示した。また、カラーフィルター用インクセットを構成する複数種の前記インクのうち２３℃での比重が最大であるものの２３℃での比重をＧｍａｘ［ｇ／ｃｍ３］、カラーフィルター用インクセットを構成する複数の前記インクのうち２３℃での比重が最小であるものの２３℃での比重をＧｍｉｎ［ｇ／ｃｍ３］で示した。また、各インクにおける、液性媒体に含まれる複数の液体のうち２５℃での表面張力が最大であるものの２５℃での表面張力をγＬｍａｘ［ｄｙｎ／ｃｍ］、液性媒体に含まれる複数の液体のうち２５℃での表面張力が最小であるものの２５℃での表面張力をγＬｍｉｎ［ｄｙｎ／ｃｍ］で示した。
【０１１８】
【表１】
2008241812.tif 000004
【０１１９】
【表２】
2008241812.tif 000005
【０１２０】
［２］液滴吐出の安定性評価（安定吐出性評価）
［２．１］各インク間での液滴吐出量のばらつき評価
図３〜図６に示すような液滴吐出装置および前記各実施例および各比較例のカラーフィルター用インクセットを用意し、各色のインクについて同量の吐出量となるようにピエゾ素子の駆動波形を最適化した状態（条件１）で、各インクについて、液滴吐出ヘッドの各ノズルから、１００００発（１００００滴）の液滴の連続吐出を行った。このとき、各色のインクについて、１つのノズルあたりの吐出重量を求めた。カラーフィルター用インクセットを構成するインクのうち、インクの液滴：１滴当たりの平均重量が最大のインクの液滴：１滴当たりの平均重量をＡｗ［ｎｇ］、液滴：１滴当たりの平均重量が最小のインクの液滴：１滴当たりの平均重量Ｂｗ［ｎｇ］として算出し、この比率（Ａｗ／Ｂｗ）を求め、下記の３段階の基準に従い、液滴の吐出量のばらつきの評価を行った。Ａｗ／Ｂｗの値が小さいほど、各インク間での液滴吐出量のばらつきが少ないと言える。
【０１２１】
Ａ：Ａｗ／Ｂｗの値が、１．０３未満。
Ｂ：Ａｗ／Ｂｗの値が、１．０３以上１．０５未満。
Ｃ：Ａｗ／Ｂｗの値が、１．０５以上。
また、ピエゾ素子の駆動波形を各インクについて同一にし（条件２）、上記と同様の連続吐出を行い、上記と同様の基準に従い、液滴の体積のばらつきの評価を行った。
【０１２２】
［２．２］連続吐出試験
まず、図３〜図６に示すような液滴吐出装置および前記各実施例および各比較例のカラーフィルター用インクセットを用意し、各色のインクについて同量の吐出量となるようにピエゾ素子の駆動波形を最適化した。次に、この状態で、液滴吐出装置を２４時間、連続で運転させることにより、カラーフィルター用インクセットを構成する各インクの吐出を行った。このとき、1時間毎に、各色のインクについて、１つのノズルあたりの吐出重量を求め、液滴：１滴当たりの吐出量を求めた。
【０１２３】
最初の１時間に吐出された液滴について、各色のインク間で、インクの液滴：１滴当たりの平均重量が最大のインクの液滴：１滴当たりの平均重量［ｎｇ］と、液滴：１滴当たりの平均重量が最小のインクの液滴：１滴当たりの平均重量［ｎｇ］との差の絶対値ＲＷ１［ｎｇ］を求めた。次に、２４時間目に吐出された液滴についても、同様に、インクの液滴：１滴当たりの平均重量が最大のインクの液滴：１滴当たりの平均重量［ｎｇ］と、液滴：１滴当たりの平均重量が最小のインクの液滴：１滴当たりの平均重量［ｎｇ］との差の絶対値ＲＷ２４［ｎｇ］を求めた。次に、この1時間目のＲＷ１と、２４時間目のＲＷ２４についての比（ＲＷ２４／ＲＷ１）を求め、下記の３段階の基準に従い、連続吐出時における液滴の吐出のばらつきの評価を行った。ＲＷ２４／ＲＷ１の値が１に近いほど、連続吐出時における、各インク間での液滴吐出量のばらつきが少ないと言える。
Ａ：０．９８≦ＲＷ２４／ＲＷ１≦１．０２。
Ｂ：０．９５≦ＲＷ２４／ＲＷ１≦１．０５。（但し、０．９８≦ＲＷ２４／ＲＷ１≦１．０２は除く。）
Ｃ：０．９５＞ＲＷ２４／ＲＷ１または、ＲＷ２４／ＲＷ１＜１．０５。
【０１２４】
［３］カラーフィルターの製造
前記各実施例および各比較例で調製したカラーフィルター用インクセットを用いて、以下のようにして、カラーフィルターを製造した。
まず、両面にナトリウムイオンの溶出を防止するシリカ（ＳｉＯ２）膜が形成されたソーダガラス製の基板（Ｇ５サイズ：１１００×１３００ｍｍ）を用意し、洗浄処理を施した。
【０１２５】
次に、カーボンブラックを含む隔壁形成用の感放射線性組成物を、洗浄済の基板の一方の面の全体に付与し、塗膜を形成した。
次に、加熱温度：１１０℃、加熱時間：１２０秒という条件でプリベーク処理を行った。
その後、フォトマスクを介して、放射線を照射して、ポストエキスポジャーベーク処理（ＰＥＢ）を行い、引き続き、アルカリ現像液を用いた現像処理を行い、さらに、ポストベーク処理を行うことにより、隔壁を形成した。ＰＥＢは、加熱温度：１１０℃、加熱時間：１２０秒、放射線照射強度：１５０ｍＪ／ｃｍ２という条件で行った。また、現像処理は、例えば、振動浸漬法により行った。現像処理時間は、６０秒とした。また、ポストベーク処理は、加熱温度：１５０℃、加熱時間：５分という条件で行った。形成された隔壁の厚さは、３．１μｍであった。
【０１２６】
次に、図３〜図６に示すような液滴吐出装置を用いて、隔壁で囲まれた領域としてのセル内に、カラーフィルター用インクを吐出した。この際、３色のカラーフィルター用インクを用い、各色のカラーフィルター用インクが混色しないようにした。
その後、ホットプレート上にて１００℃で１０分間の加熱処理を施し、さらに２００℃のオーブン内で１時間加熱処理を施すことにより、３色の着色部が形成された。これにより、図１に示すようなカラーフィルターが得られた。
上記のような方法を用いて、各実施例および各比較例のカラーフィルター用インクセットを用いて、それぞれ、１０００枚のカラーフィルターを製造した。
【０１２７】
［４］カラーフィルターの評価
上記のようにして得られた各カラーフィルターを用いて、以下のような評価を行った。
［４．１］色むら、濃度むら、光漏れ
前記各実施例および各比較例のカラーフィルター用インクセットを用いて製造されたカラーフィルターのうち、それぞれ、１０００枚目に製造されたカラーフィルターを用いて、同条件で図７に示すような液晶表示装置を製造した。
これらの液晶表示装置を用いて、暗室で、赤色の単色表示、緑色の単色表示、青色の単色表示、白色の単色表示を行った状態で目視による観察を行い、各部位での色むら、濃度むらの発生状況を、以下の５段階の基準に従い、評価した。
【０１２８】
Ａ：色むら、濃度むら、光漏れが全く認められない。
Ｂ：色むら、濃度むら、光漏れがほとんど認められない。
Ｃ：色むら、濃度むら、光漏れがわずかに認められる。
Ｄ：色むら、濃度むら、光漏れがはっきりと認められる。
Ｅ：色むら、濃度むら、光漏れが顕著に認められる。
【０１２９】
［４．２］個体間での特性差
前記各実施例および各比較例のカラーフィルター用インクセットを用いて製造されたカラーフィルターのうち、それぞれ、９９０〜９９９枚目に製造されたカラーフィルターを用意し、暗室で、赤色の単色表示、緑色の単色表示、青色の単色表示、白色の単色表示を行い、分光光度計（大塚電子社製、ＭＣＰＤ３０００）を用いて測色した。その結果から、各実施例および各比較例について、それぞれ、９９０〜９９９枚目に製造されたカラーフィルターで最大となる色差（Ｌａｂ表示系での色差ΔＥ）を求め、以下の４段階の基準に従い、評価した。
【０１３０】
Ａ：色差（ΔＥ）が３未満。
Ｂ：色差（ΔＥ）が３以上５未満。
Ｃ：色差（ΔＥ）が５以上。
Ｄ：光漏れにより測定毎のばらつきが大きく、測定意味をなさない。
なお、上記の評価においては、各液晶表示装置について、同様の条件で製造し、同様の条件で表示を行い、同様の条件で観察、測定を行った。
これらの結果を表３に示す。
【０１３１】
【表３】
2008241812.tif 000006
【０１３２】
表３から明らかなように、本発明のカラーフィルター用インクセットでは、各インク間で、吐出量のばらつきの少ないものであり、吐出の均一性に優れていた。また、長時間にわたって、安定した液滴吐出を行うことができた。また、本発明では、製造されたカラーフィルターにおいて、色むら、濃度むら、光漏れの発生が抑制されており、個体間での特性のばらつきも小さかった。これに対し、各比較例では、満足な結果が得られなかった。
また、市販の液晶テレビを分解し、液晶表示装置部分を、上記のようにして製造したものと交換して、上記と同様の評価を行ったところ、上記と同様な結果が得られた。
【図面の簡単な説明】
【０１３３】
【図１】本発明のカラーフィルターの好適な実施形態を示す断面図である。
【図２】カラーフィルターの製造方法を示す断面図である。
【図３】カラーフィルターの製造に用いる液滴吐出装置を示す斜視図である。
【図４】図３に示す液滴吐出装置における液滴吐出手段をステージ側から観察した図である。
【図５】図３に示す液滴吐出装置における液滴吐出ヘッドの底面を示す図である。
【図６】図３に示す液滴吐出装置における液滴吐出ヘッドを示す図であり、（ａ）は断面斜視図、（ｂ）は断面図である。
【図７】液晶表示装置の実施形態を示す断面図である。
【図８】本発明の電子機器を適用したモバイル型（またはノート型）のパーソナルコンピュータの構成を示す斜視図である。
【図９】本発明の電子機器を適用した携帯電話機（ＰＨＳも含む）の構成を示す斜視図である。
【図１０】本発明の電子機器を適用したディジタルスチルカメラの構成を示す斜視図である。
【符号の説明】
【０１３４】
１…カラーフィルター  １１…基板  １２…着色部  １２Ａ…第１の着色部  １２Ｂ…第２の着色部  １２Ｃ…第３の着色部  １３…隔壁  １４…セル  ２…カラーフィルター用インク（インク）  ３…塗膜  ６０…液晶表示装置  ６１…液晶層  ６２…基板（対向基板）  ６３、６４…偏光板  １００…液滴吐出装置  １０１…タンク  １０２…吐出走査部  １０３…液滴吐出手段  １０４…第１位置制御装置  １０５…キャリッジ  １０６…ステージ  １０８…第２位置制御装置  １１０…チューブ  １１２…制御手段  １１４…液滴吐出ヘッド（インクジェットヘッド）  １１６Ａ、１１６Ｂ…ノズル列  １１８…ノズル  １２０…キャビティ  １２２…隔壁  １２４…振動子  １２４Ａ、１２４Ｂ…電極  １２４Ｃ…ピエゾ素子  １２６…振動板  １２７…吐出部  １２８…ノズルプレート  １２９…液たまり  １３０…供給口  １３１……孔  １０００…画像表示装置  １１００…パーソナルコンピュータ  １１０２…キーボード  １１０４…本体部  １１０６…表示ユニット  １２００…携帯電話機  １２０２…操作ボタン  １２０４…受話口  １２０６…送話口  １３００…ディジタルスチルカメラ  １３０２…ケース（ボディー）  １３０４…受光ユニット  １３０６…シャッタボタン  １３０８…回路基板  １３１２…ビデオ信号出力端子  １３１４…データ通信用の入出力端子  １４３０…テレビモニタ  １４４０…パーソナルコンピュータ
【図１】
2008241812.tif 000007
【図２】
2008241812.tif 000008
【図３】
2008241812.tif 000009
【図４】
2008241812.tif 000010
【図５】
2008241812.tif 000011
【図６】
2008241812.tif 000012
【図７】
2008241812.tif 000013
【図８】
2008241812.tif 000014
【図９】
2008241812.tif 000015
【図１０】
2008241812.tif 000016